(57)【要約】  本開示は、文字入力方法、装置及びシステムに関し、電子技術応用分野に属する。該方法は、ユーザによって入力された第１文字を受信することと、第１文字と相関する第２文字集合を決定することであって、第２文字集合は、少なくとも１つの第２文字を含んでいる、ことと、文字とキー識別子との対応関係を問い合わせることにより、第２文字のそれぞれに対応する対象キー識別子を取得することと、対象キー識別子によって示された対象キーに対応するキーライトを、既定色の光を発するように制御することであって、既定色の光は、ユーザに文字入力をプロンプトするものである、こととを含む。本開示によって、関連技術における入力効率の低さ及び誤入力の起こり易さの問題が解決され、入力効率の向上及び誤入力の回避という効果が実現される。本開示は、入力をプロンプトするために用いられる。【選択図】図２
2018502350.tif 000002
【特許請求の範囲】
【請求項１】
文字入力方法であって、前記方法が、
ユーザによって入力された第１文字を受信することと、
前記第１文字と相関する第２文字集合を決定することであって、前記第２文字集合は、少なくとも１つの第２文字を含んでいる、ことと、
文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含む、方法。
【請求項２】
前記第１文字と相関する第２文字集合を決定することであって、前記第２文字集合は、少なくとも１つの第２文字を含んでいる、ことが、
対象辞書を決定することであって、前記対象辞書は、現時点でユーザが使用する入力法に対応する辞書又はユーザが入力する語彙に基づいて確立する辞書であり、前記対象辞書は異なる文字間の相関関係を記録するものである、ことと、
前記第１文字に基づいて前記対象辞書を問い合わせることにより、前記第２文字集合を取得することと
を含む、請求項１に記載の方法。
【請求項３】
前記方法が、さらに、
ユーザによって入力された第３文字を受信することと、
前記第２文字集合中に前記第３文字と同じ文字が存在するか否かを判断することと、
前記第２文字集合中に前記第３文字と同じ文字が存在しなかった場合に、前記第１文字及び前記第３文字に基づいて前記対象辞書を更新することと
を含む、請求項２に記載の方法。
【請求項４】
前記第１文字及び前記第３文字に基づいて前記対象辞書を更新することが、
サーバに問い合わせ要求を送信することであって、前記問い合わせ要求は、前記第１文字及び前記第３文字が順に並べられて構成された、問い合わせられようとしている語句を含む、ことと、
前記サーバにより送信された問い合わせ応答を受信することであって、前記問い合わせ応答は、前記サーバによって前記サーバ中の辞書を問い合わせたことにより生成されたものである、ことと、
前記サーバ中の辞書内に前記問い合わせられようとしている語句が存在することを前記問い合わせ応答が示している場合に、前記対象辞書内に前記第１文字と前記第３文字との相関関係を記録することと
を含む、請求項３に記載の方法。
【請求項５】
前記第１文字及び前記第３文字に基づいて前記対象辞書を更新することが、
更新プロンプト情報をユーザに表示することと、
前記更新プロンプト情報に基づいてユーザによってトリガされた更新命令を受信することであって、前記更新命令は、前記第１文字及び前記第３文字が順に並べられて構成された、問い合わせられようとしている語句を含んでいる、ことと、
前記対象辞書内に前記第１文字と前記第３文字との相関関係を記録することと
を含む、請求項３に記載の方法。
【請求項６】
前記対象キー識別子によって示された対象キーに対応するキーライトを、既定色の光を発するように制御することが、
前記対象キー識別子によって示された対象キーに対応するキーライトをオンにして、前記既定色の光を発するように制御することと、
キーボード上の前記対象キーを除くキーに対応するキーライトをオフにするように制御することと
を含む、請求項１〜５のいずれか１項に記載の方法。
【請求項７】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトを、第３既定色の光を発するように制御することと
を含み、
前記第１既定色、前記第２既定色及び前記第３既定色が互いに異なっている、請求項１〜５のいずれか１項に記載の方法。
【請求項８】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトをオフにするように制御することと
を含み、
前記第１既定色が、前記第２既定色とは異なっている、請求項１〜５のいずれか１項に記載の方法。
【請求項９】
前記対象キー識別子によって示された対象キーに対応するキーライトを、既定色の光を発するように制御することが、
前記対象キー識別子によって示された対象キーに対応するキーライトを、前記既定色の光を発すると共に点滅するように制御することを含む、請求項１〜５のいずれか１項に記載の方法。
【請求項１０】
前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある、請求項１〜５のいずれか１項に記載の方法。
【請求項１１】
前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含む、請求項１〜５のいずれか１項に記載の方法。
【請求項１２】
文字入力方法であって、前記方法が、
キーライトオン命令を受信することであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、ことと、
前記キーライトオン命令に基づいて、文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含む、方法。
【請求項１３】
前記対象キー識別子によって示された対象キーに対応するキーライトを、既定色の光を発するように制御することが、
前記対象キー識別子によって示された対象キーに対応するキーライトをオンにして、前記既定色の光を発するように制御することと、
キーボード上の前記対象キーを除くキーに対応するキーライトをオフにするように制御することと
を含む、請求項１２に記載の方法。
【請求項１４】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトを、第３既定色の光を発するように制御することと
を含み、
前記第１既定色、前記第２既定色及び前記第３既定色が互いに異なっている、請求項１２に記載の方法。
【請求項１５】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトをオフにするように制御することと
を含み、
前記第１既定色が、前記第２既定色とは異なっている、請求項１２に記載の方法。
【請求項１６】
前記対象キー識別子によって示された対象キーに対応するキーライトを、既定色の光を発するように制御することが、
前記対象キー識別子によって示された対象キーに対応するキーライトを、前記既定色の光を発すると共に点滅するように制御することを含む、請求項１２に記載の方法。
【請求項１７】
前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある、請求項１２に記載の方法。
【請求項１８】
前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含む、請求項１２に記載の方法。
【請求項１９】
文字入力方法であって、前記方法が、
ユーザによって入力された第１文字を受信することと、
前記第１文字と相関する第２文字集合を決定することであって、前記第２文字集合は、少なくとも１つの第２文字を含んでいる、ことと、
キーライトオン命令を送信することであって、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである、ことと
を含む、方法。
【請求項２０】
前記第１文字と相関する第２文字集合を決定することであって、前記第２文字集合は、少なくとも１つの第２文字を含んでいる、ことが、
対象辞書を決定することであって、前記対象辞書は、現時点でユーザが使用する入力法に対応する辞書又はユーザが入力する語彙に基づいて確立する辞書であり、前記対象辞書は異なる文字間の相関関係を記録するものである、ことと、
前記第１文字に基づいて前記対象辞書を問い合わせることにより、前記第２文字集合を取得することと
を含む、請求項１９に記載の方法。
【請求項２１】
前記方法が、さらに、
ユーザによって入力された第３文字を受信することと、
前記第２文字集合中に前記第３文字と同じ文字が存在するか否かを判断することと、
前記第２文字集合中に前記第３文字と同じ文字が存在しなかった場合に、前記第１文字及び前記第３文字に基づいて前記対象辞書を更新することと
を含む、請求項２０に記載の方法。
【請求項２２】
前記第１文字及び前記第３文字に基づいて前記対象辞書を更新することが、
サーバに問い合わせ要求を送信することであって、前記問い合わせ要求は、前記第１文字及び前記第３文字が順に並べられて構成された、問い合わせられようとしている語句を含んでいる、ことと、
前記サーバにより送信された問い合わせ応答を受信することであって、前記問い合わせ応答は、前記サーバによって前記サーバ中の辞書を問い合わせたことにより生成されたものである、ことと、
前記サーバ中の辞書内に前記問い合わせられようとしている語句が存在することを前記問い合わせ応答が示している場合に、前記対象辞書内に前記第１文字と前記第３文字との相関関係を記録することと
を含む、請求項２１に記載の方法。
【請求項２３】
前記第１文字及び前記第３文字に基づいて前記対象辞書を更新することが、
更新プロンプト情報をユーザに表示することと、
前記更新プロンプト情報に基づいてユーザによってトリガされた更新命令を受信することであって、前記更新命令は、前記第１文字及び前記第３文字が順に並べられて構成された、問い合わせられようとしている語句を含んでいる、ことと、
前記対象辞書内に前記第１文字と前記第３文字との相関関係を記録することと
を含む、請求項２１に記載の方法。
【請求項２４】
文字入力装置であって、前記装置が、
ユーザによって入力された第１文字を受信するように構成された第１受信モジュールと、
前記第１文字と相関する第２文字集合を決定するように構成された決定モジュールであって、前記第２文字集合は、少なくとも１つの第２文字を含んでいる、決定モジュールと、
文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含む、装置。
【請求項２５】
前記決定モジュールが、
対象辞書を決定し、前記対象辞書は、現時点でユーザが使用する入力法に対応する辞書又はユーザが入力する語彙に基づいて確立する辞書であり、前記対象辞書は異なる文字間の相関関係を記録するものであり、
前記第１文字に基づいて前記対象辞書を問い合わせることにより、前記第２文字集合を取得する
ように構成されている、請求項２４に記載の装置。
【請求項２６】
前記装置が、さらに、
ユーザによって入力された第３文字を受信するように構成された第２受信モジュールと、
前記第２文字集合中に前記第３文字と同じ文字が存在するか否かを判断するように構成された判断モジュールと、
前記第２文字集合中に前記第３文字と同じ文字が存在しなかった場合に、前記第１文字及び前記第３文字に基づいて前記対象辞書を更新するように構成された更新モジュールと
を含む、請求項２５に記載の装置。
【請求項２７】
前記更新モジュールが、
サーバに問い合わせ要求を送信し、前記問い合わせ要求は、前記第１文字及び前記第３文字が順に並べられて構成された、問い合わせられようとしている語句を含んでおり、
前記サーバにより送信された問い合わせ応答を受信し、前記問い合わせ応答は、前記サーバによって前記サーバ中の辞書を問い合わせたことにより生成されたものであり、
前記サーバ中の辞書内に前記問い合わせられようとしている語句が存在することを前記問い合わせ応答が示している場合に、前記対象辞書内に前記第１文字と前記第３文字との相関関係を記録する
ように構成されている、請求項２６に記載の装置。
【請求項２８】
前記更新モジュールが、
更新プロンプト情報をユーザに表示し、
前記更新プロンプト情報に基づいてユーザによってトリガされた更新命令を受信し、前記更新命令は、前記第１文字及び前記第３文字が順に並べられて構成された、問い合わせられようとしている語句を含んでおり、
前記対象辞書内に前記第１文字と前記第３文字との相関関係を記録する
ように構成されている、請求項２６に記載の装置。
【請求項２９】
前記制御モジュールが、
前記対象キー識別子によって示された対象キーに対応するキーライトをオンにして、前記既定色の光を発するように制御し、
キーボード上の前記対象キーを除くキーに対応するキーライトをオフにするように制御する
ように構成されている、請求項２４〜２８のいずれか１項に記載の装置。
【請求項３０】
キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトを、第３既定色の光を発するように制御する
ように構成されており、
前記第１既定色、前記第２既定色及び前記第３既定色が互いに異なっている、請求項２４〜２８のいずれか１項に記載の装置。
【請求項３１】
キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトをオフにするように制御する
ように構成されており、
前記第１既定色が、前記第２既定色とは異なっている、請求項２４〜２８のいずれか１項に記載の装置。
【請求項３２】
前記制御モジュールが、
前記対象キー識別子によって示された対象キーに対応するキーライトを、前記既定色の光を発すると共に点滅するように制御するように構成されている、請求項２４〜２８のいずれか１項に記載の装置。
【請求項３３】
前記第２文字集合が、少なくとも２つの第２文字を含んでおり、
前記制御モジュールが、
前記第２文字のそれぞれと前記第１文字との相関度をそれぞれ決定することにより、少なくとも２つの相関度を取得し、
前記第２文字のそれぞれに対応する対象キー識別子によって示された対象キーに対応するキーライトを、前記既定色の光を発するように制御する
ように構成されており、
任意の１つの対象キーに対応するキーライトによって発せられる光の強度は、前記任意の１つの対象キーに対応する第２文字と前記第１文字との相関度と正の相関がある、請求項２４〜２８のいずれか１項に記載の装置。
【請求項３４】
前記第２文字集合が、少なくとも２つの第２文字を含んでおり、前記少なくとも２つの第２文字が順に並べられており、
前記制御モジュールが、
前記少なくとも２つの第２文字の並び順に基づいて、前記第２文字のそれぞれに対応する対象キー識別子によって示された対象キーに対応するキーライトを、前記既定色の光を発するように順に制御するように構成されている、請求項２４〜２８のいずれか１項に記載の装置。
【請求項３５】
文字入力装置であって、前記装置が、
キーライトオン命令を受信するように構成された受信モジュールであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、受信モジュールと、
前記キーライトオン命令に基づいて、文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含む、装置。
【請求項３６】
前記制御モジュールが、
前記対象キー識別子によって示された対象キーに対応するキーライトをオンにして、前記既定色の光を発するように制御し、
キーボード上の前記対象キーを除くキーに対応するキーライトをオフにするように制御する
ように構成されている、請求項３５に記載の装置。
【請求項３７】
キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトを、第３既定色の光を発するように制御する
ように構成されており、
前記第１既定色、前記第２既定色及び前記第３既定色が互いに異なっている、請求項３５に記載の装置。
【請求項３８】
キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトをオフにするように制御する
ように構成されており、
前記第１既定色が、前記第２既定色とは異なっている、請求項３５に記載の装置。
【請求項３９】
前記制御モジュールが、
前記対象キー識別子によって示された対象キーに対応するキーライトを、前記既定色の光を発すると共に点滅するように制御するように構成されている、請求項３５に記載の装置。
【請求項４０】
前記第２文字集合が、少なくとも２つの第２文字を含んでおり、
前記制御モジュールが、
前記第２文字のそれぞれと前記第１文字との相関度をそれぞれ決定することにより、少なくとも２つの相関度を取得し、
前記第２文字のそれぞれに対応する対象キー識別子によって示された対象キーに対応するキーライトを、前記既定色の光を発するように制御する
ように構成されており、
任意の１つの対象キーに対応するキーライトによって発せられる光の強度は、前記任意の１つの対象キーに対応する第２文字と前記第１文字との相関度と正の相関がある、請求項３５に記載の装置。
【請求項４１】
前記第２文字集合が、少なくとも２つの第２文字を含んでおり、前記少なくとも２つの第２文字が順に並べられており、
前記制御モジュールが、
前記少なくとも２つの第２文字の並び順に基づいて、前記第２文字のそれぞれに対応する対象キー識別子によって示された対象キーに対応するキーライトを、前記既定色の光を発するように順に制御するように構成されている、請求項３５に記載の装置。
【請求項４２】
文字入力装置であって、前記装置が、
ユーザによって入力された第１文字を受信するように構成された第１受信モジュールと、
前記第１文字と相関する第２文字集合を決定するように構成された決定モジュールであって、前記第２文字集合は、少なくとも１つの第２文字を含んでいる、決定モジュールと、
キーライトオン命令を送信するように構成された送信モジュールであって、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである、送信モジュールと
を含む、装置。
【請求項４３】
前記決定モジュールが、
対象辞書を決定し、前記対象辞書は、現時点でユーザが使用する入力法に対応する辞書又はユーザが入力する語彙に基づいて確立する辞書であり、前記対象辞書は異なる文字間の相関関係を記録するものであり、
前記第１文字に基づいて前記対象辞書を問い合わせることにより、前記第２文字集合を取得する
ように構成されている、請求項４２に記載の装置。
【請求項４４】
前記装置が、さらに、
ユーザによって入力された第３文字を受信するように構成された第２受信モジュールと、
前記第２文字集合中に前記第３文字と同じ文字が存在するか否かを判断するように構成された判断モジュールと、
前記第２文字集合中に前記第３文字と同じ文字が存在しなかった場合に、前記第１文字及び前記第３文字に基づいて前記対象辞書を更新するように構成された更新モジュールと
を含む、請求項４３に記載の装置。
【請求項４５】
前記更新モジュールが、
サーバに問い合わせ要求を送信し、前記問い合わせ要求は、前記第１文字及び前記第３文字が順に並べられて構成された、問い合わせられようとしている語句を含んでおり、
前記サーバにより送信された問い合わせ応答を受信し、前記問い合わせ応答は、前記サーバによって前記サーバ中の辞書を問い合わせたことにより生成されたものであり、
前記サーバ中の辞書内に前記問い合わせられようとしている語句が存在することを前記問い合わせ応答が示している場合に、前記対象辞書内に前記第１文字と前記第３文字との相関関係を記録する
ように構成されている、請求項４４に記載の装置。
【請求項４６】
前記更新モジュールが、
更新プロンプト情報をユーザに表示し、
前記更新プロンプト情報に基づいてユーザによってトリガされた更新命令を受信し、前記更新命令は、前記第１文字及び前記第３文字が順に並べられて構成された、問い合わせられようとしている語句を含んでおり、
前記対象辞書内に前記第１文字と前記第３文字との相関関係を記録する
ように構成されている、請求項４４に記載の装置。
【請求項４７】
文字入力装置であって、前記装置が、
プロセッサと、
前記プロセッサにより実行可能な命令を記憶するように構成されたメモリと
を含んでおり、
前記プロセッサは、
ユーザによって入力された第１文字を受信し、
前記第１文字と相関する第２文字集合を決定し、前記第２文字集合は、少なくとも１つの第２文字を含んでおり、
文字とキー識別子との対応関係を問い合わせることにより、前記第２文字のそれぞれに対応する対象キー識別子を取得し、
前記対象キー識別子によって示された対象キーに対応するキーライトを、既定色の光を発するように制御し、前記既定色の光は、前記ユーザに文字入力をプロンプトするものである
ように構成されている、装置。
【請求項４８】
文字入力装置であって、前記装置が、
プロセッサと、
前記プロセッサにより実行可能な命令を記憶するように構成されたメモリと
を含んでおり、
前記プロセッサは、
キーライトオン命令を受信し、前記キーライトオン命令は、ユーザによって入力された第１文字に基づいて決定され前記第１文字と相関する第２文字集合中の第２文字を含んでおり、前記第２文字集合は、少なくとも１つの第２文字を含んでおり、
前記キーライトオン命令に基づいて、文字とキー識別子との対応関係を問い合わせることにより、前記第２文字のそれぞれに対応する対象キー識別子を取得し、
前記対象キー識別子によって示された対象キーに対応するキーライトを、既定色の光を発するように制御し、前記既定色の光は、前記ユーザに文字入力をプロンプトするものである
ように構成されている、装置。
【請求項４９】
文字入力装置であって、前記装置が、
プロセッサと、
前記プロセッサにより実行可能な命令を記憶するように構成されたメモリと
を含んでおり、
前記プロセッサは、
ユーザによって入力された第１文字を受信し、
前記第１文字と相関する第２文字集合を決定し、前記第２文字集合は、少なくとも１つの第２文字を含んでおり、
キーライトオン命令を送信し、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである
ように構成されている、装置。
【請求項５０】
文字入力システムであって、前記システムが、キーボード及び端末におけるプロセッサを含み、
前記キーボードが、請求項３５〜４１のいずれか１項に記載の文字入力装置を含み、
前記端末におけるプロセッサが、請求項４２〜４６のいずれか１項に記載の文字入力装置を含む、システム。
【請求項５１】
文字入力システムであって、前記システムが、キーボード及び端末におけるプロセッサを含み、
前記キーボードが、請求項４８に記載の文字入力装置を含み、
前記端末におけるプロセッサが、請求項４９に記載の文字入力装置を含む、システム。
【発明の詳細な説明】
【技術分野】
【０００１】
関連出願の相互参照
本出願は、２０１５年１１月１３日に中国国家知識産権局に出願された中国特許出願第２０１５１０７７７５６７．４号に基づくものであると共に、該中国特許出願の優先権を主張するものであり、該中国特許出願の全ての内容が、参照により本出願に組み込まれる。
【０００２】
技術分野
本開示は、概して電子技術分野に関し、より具体的には、文字入力方法、装置及びシステムに関する。
【背景技術】
【０００３】
キーボードは、端末にて常用される入力デバイスであり、ユーザと端末との間のマンマシンインタラクションを実現することができる。ユーザはキーボードを通じて、字母（レター）、数字、漢字、句読点等の文字（「字符」、キャラクタ）を端末に入力することができる。
【発明の概要】
【０００４】
入力効率の向上及び誤入力の回避という効果を実現するため、本開示は、文字入力方法、装置及びシステムを提供する。
【０００５】
本開示の実施形態の第１態様によれば、文字入力方法が提供され、前記方法が、
ユーザによって入力された第１文字を受信することと、
前記第１文字と相関する第２文字集合を決定することであって、前記第２文字集合は、少なくとも１つの第２文字を含んでいる、ことと、
文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含んでいる。
【０００６】
選択的には、前記第１文字と相関する第２文字集合を決定することであって、前記第２文字集合は、少なくとも１つの第２文字を含んでいる、ことが、
対象辞書を決定することであって、前記対象辞書は、現時点でユーザが使用する入力法に対応する辞書又はユーザが入力する語彙に基づいて確立する辞書であり、前記対象辞書は異なる文字間の相関関係を記録するものである、ことと、
前記第１文字に基づいて前記対象辞書を問い合わせることにより、前記第２文字集合を取得することと
を含んでいる。
【０００７】
選択的には、前記方法が、さらに、
ユーザによって入力された第３文字を受信することと、
前記第２文字集合中に前記第３文字と同じ文字が存在するか否かを判断することと、
前記第２文字集合中に前記第３文字と同じ文字が存在しなかった場合に、前記第１文字及び前記第３文字に基づいて前記対象辞書を更新することと
を含んでいる。
【０００８】
選択的には、前記第１文字及び前記第３文字に基づいて前記対象辞書を更新することが、
サーバに問い合わせ要求を送信することであって、前記問い合わせ要求は、前記第１文字及び前記第３文字が順に並べられて構成された、問い合わせられようとしている語句を含んでいる、ことと、
前記サーバにより送信された問い合わせ応答を受信することであって、前記問い合わせ応答は、前記サーバによって前記サーバ中の辞書を問い合わせたことにより生成されたものである、ことと、
前記サーバ中の辞書内に前記問い合わせられようとしている語句が存在することを前記問い合わせ応答が示している場合に、前記対象辞書内に前記第１文字と前記第３文字との相関関係を記録することと
を含んでいる。
【０００９】
選択的には、前記第１文字及び前記第３文字に基づいて前記対象辞書を更新することが、
更新プロンプト情報をユーザに表示することと、
前記更新プロンプト情報に基づいてユーザによってトリガされた更新命令を受信することであって、前記更新命令は、前記第１文字及び前記第３文字が順に並べられて構成された、問い合わせられようとしている語句を含んでいる、ことと、
前記対象辞書内に前記第１文字と前記第３文字との相関関係を記録することと
を含んでいる。
【００１０】
選択的には、前記対象キー識別子によって示された対象キーに対応するキーライトを、既定色の光を発するように制御することが、
前記対象キー識別子によって示された対象キーに対応するキーライトをオンにして、前記既定色の光を発するように制御することと、
キーボード上の前記対象キーを除くキーに対応するキーライトをオフにするように制御することと
を含んでいる。
【００１１】
選択的には、キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトを、第３既定色の光を発するように制御することと
を含み、
前記第１既定色、前記第２既定色及び前記第３既定色が互いに異なっている。
【００１２】
選択的には、キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトをオフにするように制御することと
を含み、
前記第１既定色が、前記第２既定色とは異なっている。
【００１３】
選択的には、前記対象キー識別子によって示された対象キーに対応するキーライトを、既定色の光を発するように制御することが、
前記対象キー識別子によって示された対象キーに対応するキーライトを、前記既定色の光を発すると共に点滅するように制御することを含んでいる。
【００１４】
選択的には、前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある。
【００１５】
選択的には、前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含んでいる。
【００１６】
本開示の実施形態の第２態様によれば、文字入力方法が提供され、前記方法が、
キーライトオン命令を受信することであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、ことと、
前記キーライトオン命令に基づいて、文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含んでいる。
【００１７】
選択的には、前記対象キー識別子によって示された対象キーに対応するキーライトを、既定色の光を発するように制御することが、
前記対象キー識別子によって示された対象キーに対応するキーライトをオンにして、前記既定色の光を発するように制御することと、
キーボード上の前記対象キーを除くキーに対応するキーライトをオフにするように制御することと
を含んでいる。
【００１８】
選択的には、キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトを、第３既定色の光を発するように制御することと
を含み、
前記第１既定色、前記第２既定色及び前記第３既定色が互いに異なっている。
【００１９】
選択的には、キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトをオフにするように制御することと
を含み、
前記第１既定色が、前記第２既定色とは異なっている。
【００２０】
選択的には、前記対象キー識別子によって示された対象キーに対応するキーライトを、既定色の光を発するように制御することが、
前記対象キー識別子によって示された対象キーに対応するキーライトを、前記既定色の光を発すると共に点滅するように制御することを含んでいる。
【００２１】
選択的には、前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある。
【００２２】
選択的には、前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含んでいる。
【００２３】
本開示の実施形態の第３態様によれば、文字入力方法が提供され、前記方法が、
ユーザによって入力された第１文字を受信することと、
前記第１文字と相関する第２文字集合を決定することであって、前記第２文字集合は、少なくとも１つの第２文字を含んでいる、ことと、
キーライトオン命令を送信することであって、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである、ことと
を含んでいる。
【００２４】
選択的には、前記第１文字と相関する第２文字集合を決定することであって、前記第２文字集合は、少なくとも１つの第２文字を含んでいる、ことが、
対象辞書を決定することであって、前記対象辞書は、現時点でユーザが使用する入力法に対応する辞書又はユーザが入力する語彙に基づいて確立する辞書であり、前記対象辞書は異なる文字間の相関関係を記録するものである、ことと、
前記第１文字に基づいて前記対象辞書を問い合わせることにより、前記第２文字集合を取得することと
を含んでいる。
【００２５】
選択的には、前記方法が、さらに、
ユーザによって入力された第３文字を受信することと、
前記第２文字集合中に前記第３文字と同じ文字が存在するか否かを判断することと、
前記第２文字集合中に前記第３文字と同じ文字が存在しなかった場合に、前記第１文字及び前記第３文字に基づいて前記対象辞書を更新することと
を含んでいる。
【００２６】
選択的には、前記第１文字及び前記第３文字に基づいて前記対象辞書を更新することが、
サーバに問い合わせ要求を送信することであって、前記問い合わせ要求は、前記第１文字及び前記第３文字が順に並べられて構成された、問い合わせられようとしている語句を含んでいる、ことと、
前記サーバにより送信された問い合わせ応答を受信することであって、前記問い合わせ応答は、前記サーバによって前記サーバ中の辞書を問い合わせたことにより生成されたものである、ことと、
前記サーバ中の辞書内に前記問い合わせられようとしている語句が存在することを前記問い合わせ応答が示している場合に、前記対象辞書内に前記第１文字と前記第３文字との相関関係を記録することと
を含んでいる。
【００２７】
選択的には、前記第１文字及び前記第３文字に基づいて前記対象辞書を更新することが、
更新プロンプト情報をユーザに表示することと、
前記更新プロンプト情報に基づいてユーザによってトリガされた更新命令を受信することであって、前記更新命令は、前記第１文字及び前記第３文字が順に並べられて構成された、問い合わせられようとしている語句を含んでいる、ことと、
前記対象辞書内に前記第１文字と前記第３文字との相関関係を記録することと
を含んでいる。
【００２８】
本開示の実施形態の第４態様によれば、文字入力装置が提供され、前記装置が、
ユーザによって入力された第１文字を受信するように構成された第１受信モジュールと、
前記第１文字と相関する第２文字集合を決定するように構成された決定モジュールであって、前記第２文字集合は、少なくとも１つの第２文字を含んでいる、決定モジュールと、
文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含んでいる。
【００２９】
選択的には、前記決定モジュールが、
対象辞書を決定し、前記対象辞書は、現時点でユーザが使用する入力法に対応する辞書又はユーザが入力する語彙に基づいて確立する辞書であり、前記対象辞書は異なる文字間の相関関係を記録するものであり、
前記第１文字に基づいて前記対象辞書を問い合わせることにより、前記第２文字集合を取得する
ように構成されている。
【００３０】
選択的には、前記装置が、さらに、
ユーザによって入力された第３文字を受信するように構成された第２受信モジュールと、
前記第２文字集合中に前記第３文字と同じ文字が存在するか否かを判断するように構成された判断モジュールと、
前記第２文字集合中に前記第３文字と同じ文字が存在しなかった場合に、前記第１文字及び前記第３文字に基づいて前記対象辞書を更新するように構成された更新モジュールと
を含んでいる。
【００３１】
選択的には、前記更新モジュールが、
サーバに問い合わせ要求を送信し、前記問い合わせ要求は、前記第１文字及び前記第３文字が順に並べられて構成された、問い合わせられようとしている語句を含んでおり、
前記サーバにより送信された問い合わせ応答を受信し、前記問い合わせ応答は、前記サーバによって前記サーバ中の辞書を問い合わせたことにより生成されたものであり、
前記サーバ中の辞書内に前記問い合わせられようとしている語句が存在することを前記問い合わせ応答が示している場合に、前記対象辞書内に前記第１文字と前記第３文字との相関関係を記録する
ように構成されている。
【００３２】
選択的には、前記更新モジュールが、
更新プロンプト情報をユーザに表示し、
前記更新プロンプト情報に基づいてユーザによってトリガされた更新命令を受信し、前記更新命令は、前記第１文字及び前記第３文字が順に並べられて構成された、問い合わせられようとしている語句を含んでおり、
前記対象辞書内に前記第１文字と前記第３文字との相関関係を記録する
ように構成されている。
【００３３】
選択的には、前記制御モジュールが、
前記対象キー識別子によって示された対象キーに対応するキーライトをオンにして、前記既定色の光を発するように制御し、
キーボード上の前記対象キーを除くキーに対応するキーライトをオフにするように制御する
ように構成されている。
【００３４】
選択的には、キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトを、第３既定色の光を発するように制御する
ように構成されており、
前記第１既定色、前記第２既定色及び前記第３既定色が互いに異なっている。
【００３５】
選択的には、キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトをオフにするように制御する
ように構成されており、
前記第１既定色が、前記第２既定色とは異なっている。
【００３６】
選択的には、前記制御モジュールが、
前記対象キー識別子によって示された対象キーに対応するキーライトを、前記既定色の光を発すると共に点滅するように制御するように構成されている。
【００３７】
選択的には、前記第２文字集合が、少なくとも２つの第２文字を含んでおり、
前記制御モジュールが、
前記第２文字のそれぞれと前記第１文字との相関度をそれぞれ決定することにより、少なくとも２つの相関度を取得し、
前記第２文字のそれぞれに対応する対象キー識別子によって示された対象キーに対応するキーライトを、前記既定色の光を発するように制御する
ように構成されており、
任意の１つの対象キーに対応するキーライトによって発せられる光の強度は、前記任意の１つの対象キーに対応する第２文字と前記第１文字との相関度と正の相関がある。
【００３８】
選択的には、前記第２文字集合が、少なくとも２つの第２文字を含んでおり、前記少なくとも２つの第２文字が順に並べられており、
前記制御モジュールが、
前記少なくとも２つの第２文字の並び順に基づいて、前記第２文字のそれぞれに対応する対象キー識別子によって示された対象キーに対応するキーライトを、前記既定色の光を発するように順に制御するように構成されている。
【００３９】
本開示の実施形態の第５態様によれば、文字入力装置が提供され、前記装置が、
キーライトオン命令を受信するように構成された受信モジュールであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、受信モジュールと、
前記キーライトオン命令に基づいて、文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含んでいる。
【００４０】
選択的には、前記制御モジュールが、
前記対象キー識別子によって示された対象キーに対応するキーライトをオンにして、前記既定色の光を発するように制御し、
キーボード上の前記対象キーを除くキーに対応するキーライトをオフにするように制御する
ように構成されている。
【００４１】
選択的には、キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトを、第３既定色の光を発するように制御する
ように構成されており、
前記第１既定色、前記第２既定色及び前記第３既定色が互いに異なっている。
【００４２】
選択的には、キーボード上のキーが機能キーを含んでおり、前記制御モジュールが、
前記対象キー識別子によって示された対象キーに対応するキーライトを、第１既定色の光を発するように制御し、
前記機能キーに対応するキーライトを、第２既定色の光を発するように制御し、
前記キーボード上の前記対象キー及び前記機能キーを除くキーに対応するキーライトをオフにするように制御する
ように構成されており、
前記第１既定色が、前記第２既定色とは異なっている。
【００４３】
選択的には、前記制御モジュールが、
前記対象キー識別子によって示された対象キーに対応するキーライトを、前記既定色の光を発すると共に点滅するように制御するように構成されている。
【００４４】
選択的には、前記第２文字集合が、少なくとも２つの第２文字を含んでおり、
前記制御モジュールが、
前記第２文字のそれぞれと前記第１文字との相関度をそれぞれ決定することにより、少なくとも２つの相関度を取得し、
前記第２文字のそれぞれに対応する対象キー識別子によって示された対象キーに対応するキーライトを、前記既定色の光を発するように制御する
ように構成されており、
任意の１つの対象キーに対応するキーライトによって発せられる光の強度は、前記任意の１つの対象キーに対応する第２文字と前記第１文字との相関度と正の相関がある。
【００４５】
選択的には、前記第２文字集合が、少なくとも２つの第２文字を含んでおり、前記少なくとも２つの第２文字が順に並べられており、
前記制御モジュールが、
前記少なくとも２つの第２文字の並び順に基づいて、前記第２文字のそれぞれに対応する対象キー識別子によって示された対象キーに対応するキーライトを、前記既定色の光を発するように順に制御するように構成されている。
【００４６】
本開示の実施形態の第６態様によれば、文字入力装置が提供され、前記装置が、
ユーザによって入力された第１文字を受信するように構成された第１受信モジュールと、
前記第１文字と相関する第２文字集合を決定するように構成された決定モジュールであって、前記第２文字集合は、少なくとも１つの第２文字を含んでいる、決定モジュールと、
キーライトオン命令を送信するように構成された送信モジュールであって、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである、送信モジュールと
を含んでいる。
【００４７】
選択的には、前記決定モジュールが、
対象辞書を決定し、前記対象辞書は、現時点でユーザが使用する入力法に対応する辞書又はユーザが入力する語彙に基づいて確立する辞書であり、前記対象辞書は異なる文字間の相関関係を記録するものであり、
前記第１文字に基づいて前記対象辞書を問い合わせることにより、前記第２文字集合を取得する
ように構成されている。
【００４８】
選択的には、前記装置が、さらに、
ユーザによって入力された第３文字を受信するように構成された第２受信モジュールと、
前記第２文字集合中に前記第３文字と同じ文字が存在するか否かを判断するように構成された判断モジュールと、
前記第２文字集合中に前記第３文字と同じ文字が存在しなかった場合に、前記第１文字及び前記第３文字に基づいて前記対象辞書を更新するように構成された更新モジュールと
を含んでいる。
【００４９】
選択的には、前記更新モジュールが、
サーバに問い合わせ要求を送信し、前記問い合わせ要求は、前記第１文字及び前記第３文字が順に並べられて構成された、問い合わせられようとしている語句を含んでおり、
前記サーバにより送信された問い合わせ応答を受信し、前記問い合わせ応答は、前記サーバによって前記サーバ中の辞書を問い合わせたことにより生成されたものであり、
前記サーバ中の辞書内に前記問い合わせられようとしている語句が存在することを前記問い合わせ応答が示している場合に、前記対象辞書内に前記第１文字と前記第３文字との相関関係を記録する
ように構成されている。
【００５０】
選択的には、前記更新モジュールが、
更新プロンプト情報をユーザに表示し、
前記更新プロンプト情報に基づいてユーザによってトリガされた更新命令を受信し、前記更新命令は、前記第１文字及び前記第３文字が順に並べられて構成された、問い合わせられようとしている語句を含んでおり、
前記対象辞書内に前記第１文字と前記第３文字との相関関係を記録する
ように構成されている。
【００５１】
本開示の実施形態の第７態様によれば、文字入力装置が提供され、前記装置が、
プロセッサと、
前記プロセッサにより実行可能な命令を記憶するように構成されたメモリと
を含んでおり、
前記プロセッサは、
ユーザによって入力された第１文字を受信し、
前記第１文字と相関する第２文字集合を決定し、前記第２文字集合は、少なくとも１つの第２文字を含んでおり、
文字とキー識別子との対応関係を問い合わせることにより、前記第２文字のそれぞれに対応する対象キー識別子を取得し、
前記対象キー識別子によって示された対象キーに対応するキーライトを、既定色の光を発するように制御し、前記既定色の光は、前記ユーザに文字入力をプロンプトするものである
ように構成されている。
【００５２】
本開示の実施形態の第８態様によれば、文字入力装置が提供され、前記装置が、
プロセッサと、
前記プロセッサにより実行可能な命令を記憶するように構成されたメモリと
を含んでおり、
前記プロセッサは、
キーライトオン命令を受信し、前記キーライトオン命令は、ユーザによって入力された第１文字に基づいて決定され前記第１文字と相関する第２文字集合中の第２文字を含んでおり、前記第２文字集合は、少なくとも１つの第２文字を含んでおり、
前記キーライトオン命令に基づいて、文字とキー識別子との対応関係を問い合わせることにより、前記第２文字のそれぞれに対応する対象キー識別子を取得し、
前記対象キー識別子によって示された対象キーに対応するキーライトを、既定色の光を発するように制御し、前記既定色の光は、前記ユーザに文字入力をプロンプトするものである
ように構成されている。
【００５３】
本開示の実施形態の第９態様によれば、文字入力装置が提供され、前記装置が、
プロセッサと、
前記プロセッサにより実行可能な命令を記憶するように構成されたメモリと
を含んでおり、
前記プロセッサは、
ユーザによって入力された第１文字を受信し、
前記第１文字と相関する第２文字集合を決定し、前記第２文字集合は、少なくとも１つの第２文字を含んでおり、
キーライトオン命令を送信し、前記キーライトオン命令は、前記第２文字集合中の第２文字を含んでおり、該送信することによって、キーボードは、前記キーライトオン命令に基づいて文字とキー識別子との対応関係を問い合わせることにより前記第２文字のそれぞれに対応する対象キー識別子を取得すると共に、前記対象キー識別子によって示された対象キーに対応するキーライトを既定色の光を発するように制御し、前記既定色の光は、前記ユーザに文字入力をプロンプトするものである
ように構成されている。
【００５４】
本開示の実施形態の第１０態様によれば、文字入力システムが提供され、前記システムが、キーボード及び端末におけるプロセッサを含み、
前記キーボードが、本開示の実施形態の第５態様に記載の文字入力装置を含み、
前記端末におけるプロセッサが、本開示の実施形態の第６態様に記載の文字入力装置を含んでいる。
【００５５】
本開示の実施形態の第１１態様によれば、文字入力システムであって、前記システムが、キーボード及び端末におけるプロセッサを含み、
前記キーボードが、本開示の実施形態の第８態様に記載の文字入力装置を含み、
前記端末におけるプロセッサが、本開示の実施形態の第９態様に記載の文字入力装置を含んでいる。
【００５６】
本開示の実施形態により提供される技術的解決手段は、以下の有利な効果を含み得る。
【００５７】
本開示において提供される文字を入力する方法、装置及びシステムでは、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【００５８】
上述の一般的説明及び後述の詳細な説明は、単なる例示及び説明であって、本開示を限定するように解釈されるものではないことを理解されたい。
【図面の簡単な説明】
【００５９】
本開示の実施形態をより明確に説明するため、以下に実施形態の説明によって要求される添付の図面を簡単に紹介する。以下の説明における図面は、本開示のいくつかの実施形態にのみ関連するものであって、当業者にとって、創造的な労力を伴うことなく、これらの図面に基づいて他の図面を知得することができることは明らかである。
【００６０】
【図１−１】図１−１は、本開示の実施形態により提供される文字入力方法に関わる実施環境の概略図である。
【図１−２】図１−２は、図１−１に示される実施環境内における端末の構造概略図である。
【図１−３】図１−３は、図１−２に示されるキーボードの正面図である。
【図１−４】図１−４は、図１−３に示されるキーボードの断面図である。
【図１−５】図１−５は、図１−１に示される実施環境内における別の端末の構造概略図である。
【図１−６】図１−６は、図１−５に示される端末の断面図である。
【図２】図２は、例示の実施形態に基づく文字入力方法のフローチャートである。
【図３】図３は、別の例示の実施形態に基づく文字入力方法のフローチャートである。
【図４】図４は、さらに別の例示の実施形態に基づく文字入力方法のフローチャートである。
【図５−１】図５−１は、また別の例示の実施形態に基づく文字入力方法のフローチャートである。
【図５−２】図５−２は、図５−１に示される実施形態に基づく端末によって、第１文字と相関する第２文字集合を決定する方法のフローチャートである。
【図５−３】図５−３は、図５−１に示される実施形態に基づく端末によって、対象キー識別子によって示された対象キーに対応するキーライトをオンにして既定色の光を発するように制御する方法のフローチャートである。
【図５−４】図５−４は、図５−３に示される実施形態に基づく端末によって、対象キー識別子によって示された対象キーに対応するキーライトをオンにして既定色の光を発するように制御していることを表す概略図である。
【図５−５】図５−５は、図５−１に示される実施形態に基づく別の端末によって、対象キー識別子によって示された対象キーに対応するキーライトを既定色の光を発するように制御する方法のフローチャートである。
【図５−６】図５−６は、図５−５に示される実施形態に基づく端末によって、対象キー識別子によって示された対象キーに対応するキーライトを既定色の光を発するように制御していることを表す概略図である。
【図５−７】図５−７は、図５−１に示される実施形態に基づくさらに別の端末によって、対象キー識別子によって示された対象キーに対応するキーライトを既定色の光を発するように制御する方法のフローチャートである。
【図５−８】図５−８は、図５−７に示される実施形態に基づく端末によって、対象キー識別子によって示された対象キーに対応するキーライトを既定色の光を発するように制御していることを表す概略図である。
【図５−９】図５−９は、図５−１に示される実施形態に基づくまた別の端末によって、対象キー識別子によって示された対象キーに対応するキーライトを既定色の光を発するように制御する方法のフローチャートである。
【図５−１０】図５−１０は、図５−１に示される実施形態に基づくさらに別の端末によって、対象キー識別子によって示された対象キーに対応するキーライトを既定色の光を発するように制御する方法のフローチャートである。
【図５−１１】図５−１１は、図５−１０に示される実施形態に基づく端末によって、対象キー識別子によって示された対象キーに対応するキーライトを既定色の光を発するように制御していることを表す概略図である。
【図５−１２】図５−１２は、図５−１に示される実施形態に基づくまた別の端末によって、対象キー識別子によって示された対象キーに対応するキーライトを既定色の光を発するように制御する方法のフローチャートである。
【図５−１３】図５−１３は、図５−１に示される実施形態に基づく端末によって、第１文字及び第３文字に基づいて対象辞書を更新する方法のフローチャートである。
【図５−１４】図５−１４は、図５−１に示される実施形態に基づく別の端末によって、第１文字及び第３文字に基づいて対象辞書を更新する方法のフローチャートである。
【図６−１】図６−１は、さらに別の例示の実施形態に基づく文字入力方法のフローチャートである。
【図６−２】図６−２は、図６−１に示される実施形態に基づく端末によって、第１文字と相関する第２文字集合を決定する方法のフローチャートである。
【図６−３】図６−３は、図６−１に示される実施形態に基づくキーボードによって、対象キー識別子によって示された対象キーに対応するキーライトをオンにして既定色の光を発するように制御する方法のフローチャートである。
【図６−４】図６−４は、図６−１に示される実施形態に基づく別のキーボードによって、対象キー識別子によって示された対象キーに対応するキーライトを既定色の光を発するように制御する方法のフローチャートである。
【図６−５】図６−５は、図６−１に示される実施形態に基づくさらに別のキーボードによって、対象キー識別子によって示された対象キーに対応するキーライトを既定色の光を発するように制御する方法のフローチャートである。
【図６−６】図６−６は、図６−１に示される実施形態に基づくまた別のキーボードによって、対象キー識別子によって示された対象キーに対応するキーライトを既定色の光を発するように制御する方法のフローチャートである。
【図６−７】図６−７は、図６−１に示される実施形態に基づくさらに別のキーボードによって、対象キー識別子によって示された対象キーに対応するキーライトを既定色の光を発するように制御する方法のフローチャートである。
【図６−８】図６−８は、図６−１に示される実施形態に基づくまた別のキーボードによって、対象キー識別子によって示された対象キーに対応するキーライトを既定色の光を発するように制御する方法のフローチャートである。
【図６−９】図６−９は、図６−１に示される実施形態に基づく端末によって、第１文字及び第３文字に基づいて対象辞書を更新する方法のフローチャートである。
【図６−１０】図６−１０は、図６−１に示される実施形態に基づく別の端末によって、第１文字及び第３文字に基づいて対象辞書を更新する方法のフローチャートである。
【図７】図７は、例示の実施形態に基づく文字入力装置のブロック図である。
【図８】図８は、別の例示の実施形態に基づく文字入力装置のブロック図である。
【図９】図９は、さらに別の例示の実施形態に基づく文字入力装置のブロック図である。
【図１０】図１０は、また別の例示の実施形態に基づく文字入力装置のブロック図である。
【図１１】図１１は、さらに別の例示の実施形態に基づく文字入力装置のブロック図である。
【図１２】図１２は、例示の実施形態に基づく文字入力装置のブロック図である。
【図１３】図１３は、別の例示の実施形態に基づく文字入力装置のブロック図である。
【図１４】図１４は、さらに別の例示の実施形態に基づく文字入力装置のブロック図である。
【図１５】図１５は、例示の実施形態に基づく文字入力システムのブロック図である。
【００６１】
添付の図面は、本明細書に組み込まれると共に本明細書の一部を構成し、本開示に一致する実施形態を示しており、本明細書と共に本開示の原理を説明するのに役立つ。
【発明を実施するための形態】
【００６２】
本開示の目的、技術的解決手段および利点をより明確にするため、添付の図面を参照して本開示をさらに詳細に説明する。記載された実施形態は、本開示における実施形態の一部に過ぎず、実施形態の全部ではない。本開示の実施形態に基づいて、当業者により創造的な労力を必要とせずに知得される他の実施形態の全ては、本開示の保護範囲に含まれる。
【００６３】
図１−１は、本開示の実施形態により提供される文字入力方法に関わる実施環境の概略図である。図１を参照すると、該実施環境は、端末０１及びサーバ０２を含み、両者は有線又は無線ネットワークを介して接続されている。無線ネットワークは、ワイヤレスフィデリティ（Wireless Fidelity、略称：ＷＩＦＩ）、ブルートゥース、赤外線、Ｚｉｇｂｅｅ、データ等を非限定的に含んでいてもよく、本開示の実施形態によっては限定されない。
【００６４】
本開示の実施形態では、端末０１はキーボードを有する端末であり、ユーザはキーボードを通じて端末０１に文字（「字符」、キャラクタ）を入力することができる。例えば、端末は、キーボードを有する携帯電話、デスクトップコンピュータ、ラップトップ型携帯コンピュータ、ノートブック型コンピュータ、スマートテレビ、スマートウェアラブルデバイス等であってもよい。サーバ０２は、１台のサーバであってもよく、複数台のサーバにより構成されたサーバクラスタであってもよく、クラウドコンピューティングサービスセンターであってもよく、本開示の実施形態によっては限定されない。
【００６５】
端末０１は辞書（「詞庫」、語彙集）を記憶していてもよく、サーバ０２もまた辞書を記憶していてもよい。辞書は、異なる文字間の相関関係を記録するためのものであり、サーバ０２に記憶されている辞書は、サーバ１に記憶されている辞書よりも語彙が豊富である。端末０１に記憶されている辞書内に既定の語句の文字間の相関関係が記憶されていない場合には、端末０１はサーバ０２と対話を行い、端末０１に記憶された辞書を更新する。
【００６６】
本開示の実施形態では、キーボードには通常、キーボードライトが設けられている。キーボードが発する光の色は、通常は調節可能である。ユーザがキーボードを通じて文字入力を行った際に、端末０１はキーボードライトをオンに制御することができる。キーボードライトがオンの時、キーボードライトの発する光はキーボードを照らし、それにより、ユーザが現時点で光の暗い環境内にいる場合には、キーボードライトの発する光はユーザの入力に対して便利になる。端末０１は、ユーザのいる環境内における光の明るさに基づいて、キーボードライトの発する光の色を既定色に調節することができ、それによってキーボードを照らす光の色を、現時点の環境内におけるユーザの入力に適応させることができる。
【００６７】
例示的には、図１−２に示すように、図１−１に示した実施環境内における端末の構造概略図が示される。該図１−２では、端末０１がコンピュータである場合を例として説明を行う。図１−２を参照すると、端末０１は、端末本体０１１と、端末０１１に接続されたキーボード０１２とを含む。キーボード０１２は、信号線０１３を介して端末本体０１１と接続されており、キーボード０１２と端末本体０１１との間のインタフェースは、ユニバーサルシリアルバス（Universal Serial Bus、略称：ＵＳＢ）インタフェースであってもよい。
【００６８】
図１−３を参照すると、図１−２に示したキーボード０１２の正面図が示される。図１−３を参照すると、キーボード０１２は少なくとも１つのキー０１２１を含んでおり、キー０１２１のそれぞれは、１つのキーライトに対応していてもよい（図１−３に図示しない）。任意の１つのキーライトは、オンにされた時に、任意の１つのキーライトに対応するキー０１２１を照らすことができる。例示的には、キーボード０１２は筐体０１２２を含んでおり、少なくとも１つのキー０１２１は筐体０１２２上に設けられる。図１−３を参照すると、少なくとも１つのキー０１２１は、文字キー０１２１１及び機能キー０１２１２を含み、文字キー０１２１１は、字母又は字根が設けられたキーとして設定され、機能キー０１２１２は、キーボード０１２のキーの中で文字キー０１２１１以外のキーである。例えば、機能キー０１２１２は、数字、句読点及びスペースバーが設けられたキーを含んでいてもよく、本開示の実施形態によっては限定されない。
【００６９】
選択的には、図１−４を参照すると、図１−３に示したキーボード０１２の断面図が示される。図１−４を参照すると、キーボード０１２は、筐体０１２２と、筐体０１２２上に設けられた少なくとも１つのキー０１２１（図１−４では、２つのキーとして示される）とを含んでいてもよく、キー０１２１のそれぞれは、１つのキーライト０１２３と対応していてもよい。任意の１つのキーライト０１２３は、オンにされた時に、任意の１つのキーライト０１２３に対応するキー０１２１を照らすことができる。任意の１つのキーライト０１２３は、筐体０１２２の内部に設けられていると共に、任意の１つのキーライト０１２３に対応するキー０１２１の下方に位置している。
【００７０】
例示的には、図１−５に示すように、図１−１に示した実施環境内における別の端末の構造概略図が示される。該図１−２では、端末０１が携帯電話である場合を例として説明を行う。図１−５を参照すると、端末０１は、端末本体０１１と、端末０１１に接続されたキーボード０１２とを含む。例示的には、端末本体０１１は、外筐体０１１１と、外筐体０１１１上に設けられた前面板０１１２とを含んでいてもよく、キーボード０１２は、前面板０１１２上に設けられている。
【００７１】
キーボード０１２は少なくとも１つのキー０１２１を含んでおり、キー０１２１のそれぞれは、１つのキーライトに対応していてもよい（図１−５に図示しない）。任意の１つのキーライトは、オンにされた時に、任意の１つのキーライトに対応するキー０１２１を照らすことができる。図１−５を参照すると、少なくとも１つのキー０１２１は、文字キー０１２１１及び機能キー０１２１２を含み、文字キー０１２１１は、字母又は字根が設けられたキーとして設定され、機能キー０１２１２は、キーボード０１２のキーの中で文字キー０１２１１以外のキーである。例えば、機能キー０１２１２は、数字、句読点及びスペースバーが設けられたキーを含んでいてもよく、本開示の実施形態によっては限定されない。選択的には、本開示の実施形態では、キーボード０１２はまた、ソフトウェアのキーボードモジュールであってもよい。該キーボードモジュールは、端末の表示スクリーンに表示されるものであり、その表示インタフェースは、図１−５に示されるようなものであってもよい。
【００７２】
選択的には、図１−６を参照すると、図１−５に示した端末０１の断面図が示される。図１−６を参照すると、端末本体０１１は、外筐体０１１１と、外筐体０１１１上に設けられた前面板０１１２とを含んでいてもよく、キーボード０１２は、前面板０１１２上に設けられている。任意の１つのキーライト０１３は、外筐体０１１１の内部に設けられていると共に、外筐体０１１１と任意の１つのキーライト０１３に対応するキー０１２１との間に位置している。
【００７３】
なお、図１−６に示すように，外筐体０１１１と前面板０１１２との間には空隙Ｏが形成されており、該空隙Ｏは端末０１のチップ又はその他のハードウェア構造を保持するように構成されており、本開示の実施形態によっては限定されない。
【００７４】
図２は、例示の実施形態に基づく文字入力方法のフローチャートである。本実施形態では、該文字入力方法が図１−１に示される実施環境中の端末０１に適用される例を挙げて説明を行う。図２を参照すると、該文字入力方法は、以下のステップを含んでいてもよい。
【００７５】
ステップ２０１では、ユーザによって入力された第１文字を受信する。
【００７６】
ステップ２０２では、第１文字と相関する第２文字集合を決定する。第２文字集合は、少なくとも１つの第２文字を含んでいる。
【００７７】
ステップ２０３では、文字とキー識別子との対応関係を問い合わせることにより、第２文字のそれぞれに対応する対象キー識別子を取得する。
【００７８】
ステップ２０４では、対象キー識別子によって示された対象キーに対応するキーライトを、既定色の光を発するように制御する。既定色の光は、ユーザに文字入力をプロンプトするものである。
【００７９】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【００８０】
選択的には、ステップ２０２が、
対象辞書を決定することであって、対象辞書は、現時点でユーザが使用する入力法に対応する辞書又はユーザが入力する語彙に基づいて確立する辞書であり、対象辞書は異なる文字間の相関関係を記録するものである、ことと、
第１文字に基づいて対象辞書を問い合わせることにより、第２文字集合を取得することと
を含んでいてもよい。
【００８１】
選択的には、ステップ２０４の後に、該方法が、さらに、
ユーザによって入力された第３文字を受信することと、
第２文字集合中に第３文字と同じ文字が存在するか否かを判断することと、
第２文字集合中に第３文字と同じ文字が存在しなかった場合に、第１文字及び第３文字に基づいて対象辞書を更新することと
を含んでいてもよい。
【００８２】
選択的には、第１文字及び第３文字に基づいて対象辞書を更新することが、
サーバに問い合わせ要求を送信することであって、問い合わせ要求は、第１文字及び第３文字が順に並べられて構成された、問い合わせられようとしている語句を含んでいる、ことと、
サーバにより送信された問い合わせ応答を受信することであって、問い合わせ応答は、サーバによってサーバ中の辞書を問い合わせたことにより生成されたものである、ことと、
サーバ中の辞書内に問い合わせられようとしている語句が存在することを問い合わせ応答が示している場合に、対象辞書内に第１文字と第３文字との相関関係を記録することと
を含んでいる。
【００８３】
選択的には、第１文字及び第３文字に基づいて対象辞書を更新することが、
更新プロンプト情報をユーザに表示することと、
更新プロンプト情報に基づいてユーザによってトリガされた更新命令を受信することであって、更新命令は、第１文字及び第３文字が順に並べられて構成された、問い合わせられようとしている語句を含んでいる、ことと、
対象辞書内に第１文字と第３文字との相関関係を記録することと
を含んでいる。
【００８４】
選択的には、ステップ２０４が、
対象キー識別子によって示された対象キーに対応するキーライトをオンにして、既定色の光を発するように制御することと、
キーボード上の対象キーを除くキーに対応するキーライトをオフにするように制御することと
を含んでいてもよい。
【００８５】
選択的には、キーボード上のキーが機能キーを含んでおり、ステップ２０４が、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトを、第３既定色の光を発するように制御することと
を含んでいてもよく、
第１既定色、第２既定色及び第３既定色が互いに異なっている。
【００８６】
選択的には、キーボード上のキーが機能キーを含んでおり、ステップ２０４が、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトをオフにするように制御することと
を含んでいてもよく、
第１既定色が、第２既定色とは異なっている。
【００８７】
選択的には、ステップ２０４が、
対象キー識別子によって示された対象キーに対応するキーライトを、既定色の光を発すると共に点滅するように制御することを含んでいてもよい。
【００８８】
選択的には、第２文字集合が、少なくとも２つの第２文字を含んでおり、ステップ２０４が、
第２文字のそれぞれと第１文字との相関度をそれぞれ決定することにより、少なくとも２つの相関度を取得することと、
第２文字のそれぞれに対応する対象キー識別子によって示された対象キーに対応するキーライトを、既定色の光を発するように制御することと
を含んでいてもよく、
任意の１つの対象キーに対応するキーライトによって発せられる光の強度は、任意の１つの対象キーに対応する第２文字と第１文字との相関度と正の相関がある。
【００８９】
選択的には、第２文字集合が、少なくとも２つの第２文字を含んでおり、少なくとも２つの第２文字が順に並べられており、ステップ２０４が、
少なくとも２つの第２文字の並び順に基づいて、第２文字のそれぞれに対応する対象キー識別子によって示された対象キーに対応するキーライトを、既定色の光を発するように順に制御することを含んでいてもよい。
【００９０】
上述の選択的な技術的解決手段の全ては、任意の構成で組み合わせて本開示の選択的な実施形態を構成することができ、ここでは詳述しない。
【００９１】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【００９２】
図３は、別の例示の実施形態に基づく文字入力方法のフローチャートである。本実施形態では、該文字入力方法が図１−１に示される実施環境中の端末０１に適用される例を挙げて説明を行う。図３を参照すると、該文字入力方法は、以下のステップを含んでいてもよい。
【００９３】
ステップ３０１では、キーライトオン命令を受信する。キーライトオン命令は、ユーザによって入力された第１文字に基づいて決定され第１文字と相関する第２文字集合中の第２文字を含んでおり、第２文字集合は、少なくとも１つの第２文字を含んでいる。
【００９４】
ステップ３０２では、キーライトオン命令に基づいて、文字とキー識別子との対応関係を問い合わせることにより、第２文字のそれぞれに対応する対象キー識別子を取得する。
【００９５】
ステップ３０３では、対象キー識別子によって示された対象キーに対応するキーライトを、既定色の光を発するように制御する。既定色の光は、ユーザに文字入力をプロンプトするものである。
【００９６】
以上のように、本開示の実施形態において提供される文字を入力する方法では、キーライトオン命令を受信し、キーライトオン命令は、ユーザによって入力された第１文字に基づいて決定され第１文字と相関する第２文字集合中の第２文字を含んでおり、第２文字集合は、少なくとも１つの第２文字を含んでおり、キーライトオン命令に基づいて、文字とキー識別子との対応関係を問い合わせることにより、第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【００９７】
選択的には、ステップ３０３が、
対象キー識別子によって示された対象キーに対応するキーライトをオンにして、既定色の光を発するように制御することと、
キーボード上の対象キーを除くキーに対応するキーライトをオフにするように制御することと
を含んでいてもよい。
【００９８】
選択的には、キーボード上のキーが機能キーを含んでおり、ステップ３０３が、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトを、第３既定色の光を発するように制御することと
を含んでいてもよく、
第１既定色、第２既定色及び第３既定色が互いに異なっている。
【００９９】
選択的には、キーボード上のキーが機能キーを含んでおり、ステップ３０３が、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトをオフにするように制御することと
を含んでいてもよく、
第１既定色が、第２既定色とは異なっている。
【０１００】
選択的には、ステップ３０３が、
対象キー識別子によって示された対象キーに対応するキーライトを、既定色の光を発すると共に点滅するように制御することを含んでいてもよい。
【０１０１】
選択的には、第２文字集合が、少なくとも２つの第２文字を含んでおり、ステップ３０３が、
第２文字のそれぞれと第１文字との相関度をそれぞれ決定することにより、少なくとも２つの相関度を取得することと、
第２文字のそれぞれに対応する対象キー識別子によって示された対象キーに対応するキーライトを、既定色の光を発するように制御することと
を含んでいてもよく、
任意の１つの対象キーに対応するキーライトによって発せられる光の強度は、任意の１つの対象キーに対応する第２文字と第１文字との相関度と正の相関がある。
【０１０２】
選択的には、第２文字集合が、少なくとも２つの第２文字を含んでおり、少なくとも２つの第２文字が順に並べられており、ステップ３０３が、
少なくとも２つの第２文字の並び順に基づいて、第２文字のそれぞれに対応する対象キー識別子によって示された対象キーに対応するキーライトを、既定色の光を発するように順に制御することを含んでいてもよい。
【０１０３】
上述の選択的な技術的解決手段の全ては、任意の構成で組み合わせて本開示の選択的な実施形態を構成することができ、ここでは詳述しない。
【０１０４】
以上のように、本開示の実施形態において提供される文字を入力する方法では、キーライトオン命令を受信し、キーライトオン命令は、ユーザによって入力された第１文字に基づいて決定され第１文字と相関する第２文字集合中の第２文字を含んでおり、第２文字集合は、少なくとも１つの第２文字を含んでおり、キーライトオン命令に基づいて、文字とキー識別子との対応関係を問い合わせることにより、第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０１０５】
図４は、さらに別の例示の実施形態に基づく文字入力方法のフローチャートである。本実施形態では、該文字入力方法が図１−１に示される実施環境中の端末０１に適用される例を挙げて説明を行う。図４を参照すると、該文字入力方法は、以下のステップを含んでいてもよい。
【０１０６】
ステップ４０１では、ユーザによって入力された第１文字を受信する。
【０１０７】
ステップ４０２では、第１文字と相関する第２文字集合を決定する。第２文字集合は、少なくとも１つの第２文字を含んでいる。
【０１０８】
ステップ４０３では、キーライトオン命令を送信する。キーライトオン命令は、第２文字集合中の第２文字を含んでいる。該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御する。既定色の光は、ユーザに文字入力をプロンプトするものである。
【０１０９】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、キーライトオン命令を送信し、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０１１０】
選択的には、ステップ４０２が、
対象辞書を決定することであって、対象辞書は、現時点でユーザが使用する入力法に対応する辞書又はユーザが入力する語彙に基づいて確立する辞書であり、対象辞書は異なる文字間の相関関係を記録するものである、ことと、
第１文字に基づいて対象辞書を問い合わせることにより、第２文字集合を取得することと
を含んでいてもよい。
【０１１１】
選択的には、ステップ４０３の後に、該方法が、さらに、
ユーザによって入力された第３文字を受信することと、
第２文字集合中に第３文字と同じ文字が存在するか否かを判断することと、
第２文字集合中に第３文字と同じ文字が存在しなかった場合に、第１文字及び第３文字に基づいて対象辞書を更新することと
を含んでいてもよい。
【０１１２】
選択的には、第１文字及び第３文字に基づいて対象辞書を更新することが、
サーバに問い合わせ要求を送信することであって、問い合わせ要求は、第１文字及び第３文字が順に並べられて構成された、問い合わせられようとしている語句を含んでいる、ことと、
サーバにより送信された問い合わせ応答を受信することであって、問い合わせ応答は、サーバによってサーバ中の辞書を問い合わせたことにより生成されたものである、ことと、
サーバ中の辞書内に問い合わせられようとしている語句が存在することを問い合わせ応答が示している場合に、対象辞書内に第１文字と第３文字との相関関係を記録することと
を含んでいる。
【０１１３】
選択的には、第１文字及び第３文字に基づいて対象辞書を更新することが、
更新プロンプト情報をユーザに表示することと、
更新プロンプト情報に基づいてユーザによってトリガされた更新命令を受信することであって、更新命令は、第１文字及び第３文字が順に並べられて構成された、問い合わせられようとしている語句を含んでいる、ことと、
対象辞書内に第１文字と第３文字との相関関係を記録することと
を含んでいる。
【０１１４】
上述の選択的な技術的解決手段の全ては、任意の構成で組み合わせて本開示の選択的な実施形態を構成することができ、ここでは詳述しない。
【０１１５】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、キーライトオン命令を送信し、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０１１６】
図５−１は、また別の例示の実施形態に基づく文字入力方法のフローチャートである。本実施形態では、該文字入力方法が図１−１に示される実施環境中に適用され、キーボードが処理機能を有する例を挙げて説明を行う。キーボードが端末の外部デバイスである場合には、該キーボードにはプロセッサ又は集積回路（Integrated Circuit、略称：ＩＣ）が設けられており、端末の入出力インタフェースを通じて端末のプロセッサと通信を行うことができる。キーボードが端末の内部デバイスである場合には、該キーボードは独立したプロセッサ又は処理ＩＣに接続されており、該プロセッサ又は処理ＩＣは端末のプロセッサと接続している。図５−１を参照すると、該文字入力方法は、以下のステップを含んでいてもよい。
【０１１７】
ステップ５０１では、端末は、ユーザによって入力された第１文字を受信する。
【０１１８】
第１文字のタイプは、字母及び字画のうち任意の１つを含んでいてもよいが、本開示の実施形態はこれを限定するものではない。本開示の実施形態では、第１文字のタイプが字母である例を挙げて説明を行う。
【０１１９】
本開示の実施形態では、ユーザが、端末のキーボード上の文字キーを操作することによって、文字入力命令をトリガする。該文字入力命令は、ユーザによって操作されたキーに設けられた文字を伴うことができ、該文字は第１文字である。端末は、該文字入力命令を受信及び解析して該第１文字を取得し、それによって、端末は第１文字の受信を実現する。
【０１２０】
例示的には、ここでユーザが操作したキーが図１−３に示されるキーボード０１２上に設けられた文字“ｈ”のキーであるとすると、ユーザによってトリガされた文字入力命令は文字“ｈ”を伴うことができ、端末は該文字入力命令を解析して該文字“ｈ”を取得することができ、該文字“ｈ”は第１文字でもある。
【０１２１】
ステップ５０２では、端末は、第１文字と相関する第２文字集合を決定する。第２文字集合は、少なくとも１つの第２文字を含んでいる。
【０１２２】
第２文字のタイプは第１文字のタイプと同一である。すなわち、第１文字のタイプが字母である場合には、第２文字のタイプは字母であり、第１文字のタイプが字画である場合には、第２文字のタイプは字画である。本開示の実施形態では、第１文字のタイプが字母であるため、第２文字のタイプは字母である。
【０１２３】
例示的には、図５−２を参照すると、図５−１に示される実施形態に基づく端末によって、第１文字と相関する第２文字集合を決定する方法のフローチャートが示される。図５−２を参照すると、該方法は、以下のステップを含んでいてもよい。
【０１２４】
サブステップ５０２１では、端末は、対象辞書を決定する。対象辞書は、現時点でユーザが使用する入力法に対応する辞書又はユーザが入力する語彙に基づいて確立する辞書であり、対象辞書は異なる文字間の相関関係を記録するものである。
【０１２５】
本開示の実施形態では、異なる入力法が異なる辞書に対応していてもよい。そのため、異なる入力法に対して、端末によって決定される第１文字と相関する第２文字集合は、異なっていてもよい。したがって、端末はまず対象辞書を決定し、その後に対象辞書内における第１文字と相関する第２文字集合を決定してもよい。該対象辞書は、異なる文字間の相関関係を記録するためのものである。なお、本開示の実施形態では、入力法は、五筆入力法、捜狗入力法、百度入力法、ピン音入力法等を非限定的に含んでいてもよく、本開示の実施形態によっては限定されない。
【０１２６】
例示的には、ユーザが端末に第１文字を入力する前に、ユーザは入力法を選択してもよい。ユーザが入力法を選択する際には、ユーザは入力法選択命令をトリガしてもよく、該入力法選択命令は、ユーザによって選択された対象入力法を伴っている。端末は、ユーザによってトリガされた入力法選択命令を受信して該入力法選択命令を解析し、それによってユーザによって選択された対象入力法を取得する。端末は、入力法と辞書との対応関係を記憶してもよい。該端末がユーザによって選択された対象入力法を取得した際に、端末は、端末に記憶された入力法と辞書との対応関係を問い合わせて、ユーザによって選択された対象入力法に対応する対象辞書を取得してもよい。
【０１２７】
例示的には、端末に記憶された入力法と辞書との対応関係は、以下の表１に示されるようなものであってもよい。
【０１２８】
【表１】
2018502350.tif 000003
【０１２９】
ユーザによって選択された対象入力法が捜狗入力法であるとすると、端末は、該対象入力法の問い合わせ表１に示される対応関係に基づいて、対象入力法に対応する辞書が辞書３であることを取得することができ、それによって、端末は辞書３を対象辞書とする。
【０１３０】
サブステップ５０２２では、端末は、第１文字に基づいて対象辞書を問い合わせることにより、第２文字集合を取得する。
【０１３１】
端末は、対象辞書を決定した後に、第１文字に基づいて対象辞書を問い合わせことにより、第２文字集合を取得してもよい。例示的には、端末は、第１文字“ｈ”に基づいて辞書３を問い合わせることにより、第２文字集合を取得してもよい。
【０１３２】
本開示の実施形態では、対象辞書は、異なる文字間の相関関係を記録するためのものである。選択的には、対象辞書は、文字と異なる文字間の相関度とを記録する。例示的には、本開示の実施形態において、対象辞書は、以下の表２に示されるようなものであってもよい。
【０１３３】
【表２】
2018502350.tif 000004
【０１３４】
例示的には、端末は、第１文字“ｈ”に基づいて表２に示される辞書３を問い合わせて、第２文字集合を取得してもよい。該第２文字集合は、第２文字“ｅ”、“ｉ”及び“ａ”を含んでおり、第２文字“ｅ”と第１文字“ｈ”との相関度は９０％であり、第２文字“ｉ”と第１文字“ｈ”との相関度は６０％であり、第２文字“ａ”と第１文字“ｈ”との相関度は２０％である。また、第１文字“ｈ”と第２文字“ｅ”とが順に並べられて構成される語彙候補は英単語“ｈｅｌｌｏ”であり、第１文字“ｈ”と第２文字“ｉ”とが順に並べられて構成される語彙候補は英単語“ｈｉ”であり、第１文字“ｈ”と第２文字“ａ”とが順に並べられて構成される語彙候補は英単語“ｈａ”である。
【０１３５】
なお、本開示の実施形態では、端末は、ユーザの入力習慣等に基づいて文字間の相関度を調整してもよい。上記表２を例とすると、ユーザが所定の時間内に語彙“ｈｉ”を入力する確率が比較的高いことを該端末が検知した場合、端末は第２文字“ｉ”と第１文字“ｈ”との相関度を調整してもよく、例示的には、端末は、第２文字“ｉ”と第１文字“ｈ”との相関度を１００％に調整してもよく、本開示の実施形態によっては限定されない。
【０１３６】
また、本開示の実施形態により提供される対象辞書は単なる例示であって、本開示を限定するために用いられ得るものでない。実際的応用では、対象辞書内の文字の数は、表２に示される数よりも遥かに多い。
【０１３７】
また、本開示の実施形態では、第１文字及び第２文字のタイプの両方が字母である例を挙げて説明を行ったが、実際的応用では、第１文字及び第２文字のタイプの両方が字画（すなわち、字根）であってもよい。この場合、端末は、第１文字を取得した後に、第１文字に対応する第１漢字を決定してもよく、その後に対象辞書内において第１漢字と共に語句を構成することが可能な第２漢字を決定し、それによって第２漢字の字根を決定して、第２漢字の字根を第２漢字として用いてもよい。第１文字及び第２文字のタイプの両方が字画である場合には、端末が第２文字を取得するプロセスについては関連技術を参照することができ、本開示の実施形態では詳述しない。
【０１３８】
ステップ５０３では、端末は、文字とキー識別子との対応関係を問い合わせることにより、第２文字のそれぞれに対応する対象キー識別子を取得する。
【０１３９】
本開示の実施形態では、キーボードのキーには文字が設けられていてもよく、端末は、文字とキー識別子との対応関係を記憶していてもよい。端末は、該文字とキー識別子との対応関係を問い合わせることにより、第２文字のそれぞれに対応する対象キー識別子を取得する。例示的には、端末に記憶された文字とキー識別子との対応関係は、以下の表３に示されるようなものであってもよい。
【０１４０】
【表３】
2018502350.tif 000005
【０１４１】
端末は、表３に示される対応関係を問い合わせることにより、第２文字“ｅ”に対応する対象キー識別子がＩＤ−Ｅであること、第２文字“ｉ”に対応する対象キー識別子がＩＤ−Ｉであること及び第２文字“ａ”に対応する対象キー識別子がＩＤ−Ａであることを取得することができる。
【０１４２】
ステップ５０４では、端末は、対象キー識別子によって示された対象キーに対応するキーライトを、既定色の光を発するように制御する。既定色の光は、前記ユーザに文字入力をプロンプトするものである。
【０１４３】
端末は、第２文字のそれぞれに対応する対象キー識別子を決定した後に、対象キー識別子のそれぞれによって示された対象キーに対応するキーライトによって発せられる既定色の光を制御してもよい。例示的には、端末は、まず対象キー識別子のそれぞれによって示された対象キーに対応するキーライトを決定して、その後に該キーライトを、既定色の光を発するように制御してもよい。
【０１４４】
本開示の実施形態では、端末はさらに、キー識別子とキーライト識別子との対応関係を記憶してもよい。端末は、対象キー識別子に基づいてキー識別子とキーライト識別子との対応関係を問い合わせることにより、対象キー識別子に対応する対象キーライト識別子を取得してもよく、それによって、該対象キーライト識別子によって示されたキーライトを、既定色の光を発するように制御する。
【０１４５】
例示的には、端末に記憶されたキー識別子とキーライト識別子との対応関係は、以下の表４に示されるようなものであってもよい。
【０１４６】
【表４】
2018502350.tif 000006
【０１４７】
端末は、表４に示される対応関係を問い合わせることにより、対象キー識別子ＩＤ−Ｅに対応する対象キーライト識別子がＩＤ−３であること、対象キー識別子ＩＤ−Ｉに対応する対象キーライト識別子がＩＤ−４であること及び対象キー識別子ＩＤ−Ａに対応する対象キーライト識別子がＩＤ−１であることを取得することができる。さらに、端末は、対象キーライト識別子ＩＤ−３によって示された対象キーライト、対象キーライト識別子ＩＤ−４によって示された対象キーライト及び対象キーライト識別子ＩＤ−１によって示される対象キーライトを、既定色の光を発するように制御する。
【０１４８】
ここで、既定色は、黄色、緑色、赤色、白色、青色等であってもよく、本開示の実施形態によっては限定されない。本開示の実施形態では、キーのそれぞれは、１つのキーライトに対応しており、任意の１つのキーライトは、該任意の１つのキーライトに対応するキーを照らすために用いられる。また、任意の２つのキーライトにより発せられる光の色は同じであっても異なっていてもよく、本開示の実施形態によっては限定されない。端末は、対象キー識別子によって示された対象キーに対応するキーライトをオンにして前記既定色の光を発するように制御すると共に、キーボード上の対象キーを除いたキーに対応するキーライトをオフに制御することにより、対象キーと対象キーを除いたキーボード上のキーとの光の差を比較的大きくして、ユーザに対するプロンプトを実現してもよい。あるいは、端末はまた、対象キー識別子によって示された対象キーに対応するキーライトによって発せられる光の色とキーボード上の対象キーを除いたキーに対応するキーライトによって発せられる光の色とを大きく異ならせることにより、ユーザに対するプロンプトを実現してもよい。あるいは、端末はさらに、対象キー識別子によって示された対象キーに対応するキーライトを、既定色の光を発すると共に点滅するように制御することにより、ユーザに対するプロンプトを実現してもよい。あるいは、端末はさらに、対象キー識別子によって示された対象キーに対応するキーライトによって発せられる光の強度を制御することにより、ユーザに対するプロンプトを実現してもよい。あるいは、端末はさらに、少なくとも２つの第２文字の並び順に基づいて、第２文字のそれぞれに対応する対象キー識別子によって示された対象キーに対応するキーライトを、既定色の光を発するように順に制御することにより、ユーザに対するプロンプトを実現してもよい。これらは、本開示の実施形態によっては限定されない。
【０１４９】
例示的には、図５−３を参照すると、図５−１に示される端末によって、対象キー識別子によって示された対象キーに対応するキーライトをオンにして既定色の光を発するように制御する方法のフローチャートが示される。図５−３を参照すると、該方法は、以下のステップを含んでいてもよい。
【０１５０】
サブステップ５０４１ａでは、端末は、対象キー識別子によって示された対象キーに対応するキーライトをオンにして、既定色の光を発するように制御する。
【０１５１】
端末は、対象キー識別子によって示された対象キーに対応するキーライト（対象キーライト）のスイッチをオンにすることにより、対象キー識別子によって示された対象キーに対応するキーライトをオンにしてもよい。例示的には、端末は、対象キー識別子ＩＤ−Ｅによって示された対象キーに対応するキーライトのスイッチ、対象キー識別子ＩＤ−Ｉによって示された対象キーに対応するキーライトのスイッチ及び対象キー識別子ＩＤ−Ａによって示された対象キーに対応するキーライトのスイッチを個別にオンにすることにより、対象キー識別子ＩＤ−Ｅによって示された対象キーに対応するキーライト、対象キー識別子ＩＤ−Ｉによって示された対象キーに対応するキーライト及び対象キー識別子ＩＤ−Ａによって示された対象キーに対応するキーライトをオンにする。
【０１５２】
例示的には、本開示の実施形態では、既定色は予め設定されていてもよい。キーライトのそれぞれは１色の光を発してもよく、キーライトのそれぞれによって発せられる光の色は予め設定されていてもよい。端末は、対象キー識別子によって示された対象キーに対応するキーライトのスイッチをオンにすることを制御することにより、対象キーに対応するキーライトをオンにして、既定色の光を発させる。例えば、端末は、第２文字“ｅ”、“ｉ”及び“ａ”が設けられた対象キーのそれぞれに対応するキーライトを個別に制御することによって、第２文字“ｅ”、“ｉ”及び“ａ”が設けられた対象キーのそれぞれに対応するキーライトを個別にオンにして、既定色の光を発させる。
【０１５３】
さらに、例示的には、キーのそれぞれに対応するキーライトは複数の色の光を発してもよく、光の色は、キーライトの供給電圧によって制御されてもよい。したがって、端末は、対象キー識別子によって示された対象キーに対応するキーライトの供給電圧を制御することにより、対象キー識別子によって示された対象キーに対応するキーライトに既定色の光を発させてもよい。端末が対象キー識別子によって示された対象キーに対応するキーライトの供給電圧を制御する実施プロセスについては関連技術を参照することができ、本開示の実施形態では詳述しない。例えば、端末は、第２文字“ｅ”、“ｉ”及び“ａ”が設けられた対象キーのそれぞれに対応するキーライトの供給電圧を個別に制御することによって、第２文字“ｅ”、“ｉ”及び“ａ”が設けられた対象キーのそれぞれに対応するキーライトを個別にオンにして、既定色の光を発させる。
【０１５４】
また、例示的には、キーのそれぞれは１つのキーライト群に対応しており、キーライト群のそれぞれは少なくとも１つのキーライトを含んでおり、キーライトのそれぞれは１色の光を発することができ、キーライトのそれぞれは１つのスイッチに対応している。端末は、対象キー識別子によって示された対象キーに対応するキーライト群における１つのキーライトに対応するスイッチをオンにするように制御することにより、対象キー識別子によって示された対象キーに対応するキーライト群における１つのキーライトに既定色の光を発させ、それによって対象キー識別子によって示された対象キーに対応するキーライト群に既定色の光を発させることができる。例えば、端末は、第２文字“ｅ”、“ｉ”及び“ａ”が設けられた対象キーのそれぞれに対応するキーライト群における１つのキーライトのスイッチを個別にオンにするように制御することにより、第２文字“ｅ”、“ｉ”及び“ａ”が設けられた対象キーのそれぞれに対応するキーライト群における１つのキーライトに既定色の光を発させ、それによって第２文字“ｅ”、“ｉ”及び“ａ”が設けられた対象キーのそれぞれに対応するキーライトに個別に既定色の光を発させる。
【０１５５】
サブステップ５０４２ａでは、端末は、キーボード上の対象キーを除くキーに対応するキーライトをオフにするように制御する。
【０１５６】
端末は、キーボード上の対象キーを除くキーに対応するキーライトのスイッチをオフにすることにより、キーボード上の対象キーを除くキーに対応するキーライトをオフにすることができる。例示的には、端末は、キーボード上の第２文字“ｅ”、“ｉ”及び“ａ”が設けられた対象キーを除くキーに対応するキーライトのスイッチをオフにすることにより、キーボード上の第２文字“ｅ”、“ｉ”及び“ａ”が設けられた対象キーを除くキーに対応するキーライトをオフにする。
【０１５７】
選択的には、図５−４に示すように、図５−３に示される実施形態に基づく端末によって、対象キー識別子によって示された対象キーに対応するキーライトをオンにして既定色の光を発するように制御していることを表す概略図が示される。図５−４を参照すると、キーボード０１２上の第２文字“ｅ”、“ｉ”及び“ａ”がそれぞれ設けられた対象キーに対応するキーライトがオンにされて既定色の光を発しており、キーボード０１２上の第２文字“ｅ”、“ｉ”及び“ａ”が設けられた対象キーを除くキーに対応するキーライトがオフにされている。なお、該図５−４では、網掛けパターンの設けられたキーは、キーに対応するキーライトがオンにされていることを表しており、網掛けパターンの設けられていないキーは、キーに対応するキーライトがオフにされていることを表している。
【０１５８】
本開示の実施形態では、キーボード上のキーは、機能キーを含んでいてもよい。該機能キーは、数字が設けられたキー、句読点が設けられたキー及びスペースが設けられたキー等を含んでいてもよく、本開示の実施形態によっては限定されない。例示的には、図５−５を参照すると、図５−１に示される実施形態に基づく別の端末によって、対象キー識別子によって示された対象キーに対応するキーライトを既定色の光を発するように制御する方法のフローチャートが示される。図５−５を参照すると、該方法は、以下のステップを含んでいてもよい。
【０１５９】
サブステップ５０４１ｂでは、端末は、対象キー識別子によって示された対象キーに対応するキーライトを、第１既定色の光を発するように制御する。
【０１６０】
サブステップ５０４２ｂでは、端末は、機能キーに対応するキーライトを、第２既定色の光を発するように制御する。
【０１６１】
サブステップ５０４３ｂでは、端末は、キーボード上の対象キー及び機能キーを除くキーに対応するキーライトを、第３既定色の光を発するように制御する。
【０１６２】
第１既定色、第２既定色及び第３既定色は、互いに異なっている。
【０１６３】
該サブステップ５０４１ｂからサブステップ５０４３ｂまでの実現プロセスについては、図５−３に示される実施形態におけるサブステップ５０４１ａを参照することができ、本開示の実施形態では詳述しない。例示的には、図５−６を参照すると、図５−５に示される実施形態に基づく端末によって、対象キー識別子によって示された対象キーに対応するキーライトを既定色の光を発するように制御していることを表す概略図が示される。図５−６を参照すると、キーボード０１２上の第２文字“ｅ”、“ｉ”及び“ａ”が設けられた対象キーに対応するキーライトがオンにされて第１既定色の光を発しており、キーボード０１２上の機能キーに対応するキーライトがオンにされて第２既定色の光を発しており、キーボード０１２上の第２文字“ｅ”、“ｉ”及び“ａ”が設けられた対象キー及び機能キーを除くキーに対応するキーライトがオンにされて第３既定色の光を発している。なお、該図５−６では、各キーの網掛けパターンを異なるものとすることによって、第１既定色、第２既定色及び第３既定色を区別している。
【０１６４】
本開示の実施形態では、キーボード上のキーは、機能キーを含んでいてもよい。該機能キーは、数字が設けられたキー、句読点が設けられたキー及びスペースが設けられたキー等を含んでいてもよく、本開示の実施形態によっては限定されない。例示的には、図５−７を参照すると、図５−１に示される実施形態に基づくさらに別の端末によって、対象キー識別子によって示された対象キーに対応するキーライトを既定色の光を発するように制御する方法のフローチャートが示される。図５−７を参照すると、該方法は、以下のステップを含んでいてもよい。
【０１６５】
サブステップ５０４１ｃでは、端末は、対象キー識別子によって示された対象キーに対応するキーライトを、第１既定色の光を発するように制御する。
【０１６６】
サブステップ５０４２ｃでは、端末は、機能キーに対応するキーライトを、第２既定色の光を発するように制御する。
【０１６７】
第１既定色は、第２既定色とは異なっている。
【０１６８】
該サブステップ５０４１ｃ及びサブステップ５０４２ｂの実現プロセスについては、図５−３に示される実施形態におけるサブステップ５０４１ａを参照することができ、本開示の実施形態では詳述しない。
【０１６９】
サブステップ５０４３ｃでは、端末は、キーボード上の対象キー及び機能キーを除くキーに対応するキーライトをオフにするように制御する。
【０１７０】
サブステップ５０４３ｃの実現プロセスについては、図５−３に示される実施形態におけるサブステップ５０４２ａを参照することができ、本開示の実施形態では詳述しない。
【０１７１】
例示的には、図５−８を参照すると、図５−７に示される実施形態に基づく端末によって、対象キー識別子によって示された対象キーに対応するキーライトを既定色の光を発するように制御していることを表す概略図が示される。図５−８を参照すると、キーボード０１２上の第２文字“ｅ”、“ｉ”及び“ａ”が設けられた対象キーに対応するキーライトがオンにされて第１既定色の光を発しており、キーボード０１２上の機能キーに対応するキーライトがオンにされて第２既定色の光を発しており、キーボード０１２上の第２文字“ｅ”、“ｉ”及び“ａ”が設けられた対象キー及び機能キーを除くキーに対応するキーライトがオフにされている。なお、該図５−８では、各キーの網掛けパターンを異なるものとすることによって、第１既定色と第２既定色とを区別しており、網掛けパターンが設けられていないキーは、キーに対応するキーライトがオフにされていることを表している。
【０１７２】
選択的には、本開示の実施形態において、端末が対象キー識別子によって示された対象キーに対応するキーライトを既定色の光を発するように制御することが、さらに、端末が対象キー識別子によって示された対象キーに対応するキーライトを、既定色の光を発すると共に点滅するように制御することを含んでいてもよい。例示的には、図５−９を参照すると、図５−１に示される実施形態に基づくまた別の端末によって、対象キー識別子によって示された対象キーに対応するキーライトを既定色の光を発するように制御する方法のフローチャートが示される。図５−９を参照すると、該方法は、以下のステップを含んでいてもよい。
【０１７３】
サブステップ５０４１ｄでは、端末は、対象キー識別子によって示された対象キーに対応するキーライトを、既定色の光を発すると共に点滅するように制御する。
【０１７４】
例示的には、端末は、第２文字“ｅ”、“ｉ”及び“ａ”が設けられた対象キーに対応するキーライトを、既定色の光を発すると共に点滅するように個別に制御する。端末は、対象キー識別子によって示された対象キーに対応するキーライトのスイッチを断続的にオンオフすることにより、対象キー識別子によって示された対象キーに対応するキーライトを点滅させてもよく、本開示の実施形態によっては限定されない。
【０１７５】
本開示の実施形態では、第２文字集合が少なくとも２つの第２文字を含んでおり、第２文字のそれぞれと第１文字との相関度が異なっていてもよく、端末は、第２文字と第１文字との相関度に基づいて、第２文字に対応する対象キー識別子によって示された対象キーに対応するキーライトを、既定色の光を発するように制御することができる。例示的には、図５−１０を参照すると、図５−１に示される端末によって、対象キー識別子によって示された対象キーに対応するキーライトを既定色の光を発するように制御するさらに別の方法のフローチャートが示される。図５−１０を参照すると、該方法は、以下のステップを含んでいてもよい。
【０１７６】
サブステップ５０４１ｅでは、端末は、第２文字のそれぞれと第１文字との相関度をそれぞれ決定することにより、少なくとも２つの相関度を取得する。
【０１７７】
端末は、第２文字のそれぞれと第１文字との相関度を決定することにより、少なくとも２つの相関度を取得することができる。本開示の実施形態では、第２文字は３つであるため、端末は少なくとも３つの相関度を取得することができる。
【０１７８】
ステップ５０２を参照すると、端末に記憶された辞書内には、第１文字及び第２文字の相関度が記録されていることがわかる。そのため、端末は、表２に示される対応関係を問い合わせることにより、第２文字のそれぞれと第１文字との相関度とを決定することができる。表２を参照すると、第２文字“ｅ”と第１文字“ｈ”の相関度は９０％であり、第２文字“ｉ”と第１文字“ｈ”との相関度は６０％であり、第２文字“ａ”と第１文字“ｈ”との相関度は２０％であることがわかる。
【０１７９】
サブステップ５０４２ｅでは、端末は、第２文字のそれぞれに対応する対象キー識別子によって示された対象キーに対応するキーライトを、既定色の光を発するように制御する。任意の１つの対象キーに対応するキーライトによって発せられる光の強度は、任意の１つの対象キーに対応する第２文字と第１文字との相関度と正の相関がある。
【０１８０】
端末は、少なくとも３つの相関度を取得した後に、該少なくとも３つの相関度を比較して、該少なくとも３つの相関度の順序を決定することにより、対応する第２文字が設けられた対象キーに対応するキーライトを、既定色の光を発するように制御して、任意の１つの対象キーに対応するキーライトによって発せられる光の強度に、任意の１つの対象キーに対応する第２文字と第１文字との相関度と正の相関を持たせてもよい。
【０１８１】
例示的には、サブステップ５０４１ｅを参照すると、第２文字“ｅ”と第１文字“ｈ”の相関度は９０％であり、第２文字“ｉ”と第１文字“ｈ”の相関度は６０％であり、第２文字“ａ”と第１文字“ｈ”の相関度は２０％であることがわかる。９０％は６０％より大きく、６０％は２０％より大きいため、端末は、第２文字“ｅ”、“ｉ”及び“ａ”が設けられた対象キーに対応するキーライトを、既定色の光を発するように個別に制御して、第２文字“ｅ”が設けられた対象キーに対応するキーライトによって発せられる光の強度を、第２文字“i"が設けられた対象キーに対応するキーライトによって発せられる光の強度よりも大きくして、第２文字“i"が設けられた対象キーに対応するキーライトによって発せられる光の強度を、第２文字"a"が設けられた対象キーに対応するキーライトによって発せられる光の強度よりも大きくする。
【０１８２】
例示的には、図５−１１を参照すると、図５−１０に示される実施形態に基づく端末によって、対象キー識別子によって示された対象キーに対応するキーライトを既定色の光を発するように制御していることを表す概略図が示される。図５−１１を参照すると、キーボード０１２上の第２文字“ｅ”、“ｉ”及び“ａ”が設けられた対象キーに対応するキーライトがオンにされて既定色の光を発しており、第２文字“e"が設けられたキーに対応するキーライトによって発せられる光の強度は、第２文字"i"が設けられたキーに対応するキーライトによって発せられる光の強度よりも大きく、第２文字“i"が設けられたキーに対応するキーライトによって発せられる光の強度は、第２文字"a"が設けられたキーに対応するキーライトによって発せられる光の強度よりも大きい。なお、該図５−１１では、各キーの網掛けパターンを異なるものとすることによって、対象キーに対応するキーライトによって発せられる光の強度を区別している。
【０１８３】
本開示の実施形態では、第２文字集合は、少なくとも２つの第２文字を含んでおり、少なくとも２つの第２文字は、順に並べられている。例えば、少なくとも２つの第２文字は、第２文字と第１文字との相関度に照らして大きい順に並べられており、端末は、少なくとも２つの第２文字の並び順に基づいて、第２文字に対応する対象キー識別子によって示された対象キーに対応するキーライトを、既定色の光を発するように順に制御することができる。例示的には、図５−１２を参照すると、図５−１に示される実施形態に基づくまた別の端末によって、対象キー識別子によって示された対象キーに対応するキーライトを既定色の光を発するように制御する方法のフローチャートが示される。図５−１２を参照すると、該方法は、以下のステップを含んでいてもよい。
【０１８４】
サブステップ５０４１ｆでは、端末は、少なくとも２つの第２文字の並び順に基づいて、第２文字のそれぞれに対応する対象キー識別子によって示された対象キーに対応するキーライトを、既定色の光を発するように順に制御する。
【０１８５】
少なくとも２つの第２文字が、第２文字と第１文字との相関度に照らして大きい順に並べられているとすると、第１文字と相関する第２文字の並び順は“ｅ”“ｉ”“ａ”であり得、端末は、第２文字のそれぞれに対応する対象キー識別子によって示された対象キーに対応するキーライトを、既定色の光を発するように順に制御する。例えば、端末は、まずは第２文字“ｅ”に対応する対象キー識別子によって示された対象キーに対応するキーライトを、既定色の光を発するように制御し、既定期間（例えば、０．５秒）の後に、端末は、第２文字“ｅ”に対応する対象キー識別子によって示された対象キーに対応するキーライトをオフにするように制御すると共に、第２文字“ｉ”に対応する対象キー識別子によって示された対象キーに対応するキーライトを、既定色の光を発するように制御し、再び既定期間の後に、端末は、第２文字“ｉ”に対応する対象キー識別子によって示された対象キーに対応するキーライトをオフにするように制御すると共に、第２文字“ａ”に対応する対象キー識別子によって示された対象キーに対応するキーライトを、既定色の光を発するように制御して、同様に続く。
【０１８６】
ステップ５０５では、端末は、ユーザによって入力された第３文字を受信する。
【０１８７】
端末が、対象キー識別子によって示された対象キーに対応するキーライトを、既定色の光を発するように制御した後に、ユーザは、端末のプロンプトに基づいて文字入力を行ってもよい。例示的には、ユーザは、キーボード上に第３文字が設けられたキーを操作することにより、文字入力命令をトリガする。該文字入力命令は第３文字を伴っていてもよく、端末は、該文字入力命令を受信及び解析して該第３文字を取得し、それによって、端末は第３文字の受信を実現する。
【０１８８】
なお、本開示の実施形態では、ユーザによって入力された第３文字は、第２文字集合中の文字であってもよく、第２文字集合中の文字でなくてもよい。ユーザによって入力された第３文字が第２文字集合中の文字でない場合には、端末に記憶された対象辞書は、第１文字及び第３文字が並べられて構成された語句を含んでいない可能性がある。
【０１８９】
ステップ５０６では、端末は、第２文字集合中に第３文字と同じ文字が存在するか否かを判断する。
【０１９０】
端末は、第３文字を受信した後に、第２文字集合中に第３文字と同じ文字が存在するか否かを判断してもよい。端末は、第３文字に基づいて第２文字集合を問い合わせることにより、第２文字集合中に第３文字と同じ文字が存在するか否かを判断してもよい。
【０１９１】
例示的には、第３文字が“ｕ”であるとすると、端末は、第３文字“ｕ”に基づいて第２文字集合を問い合わせる。第２文字集合中の文字は“ｅ”、“ｉ”及び“ａ”であるため、端末は、第２文字集合中に第３文字と同じ文字が存在しないことを決定することができる。
【０１９２】
なお、本開示の実施形態では、第３文字が“ｕ”である例を挙げて説明を行ったが、第３文字が“ａ”である時には、端末は、第２文字集合を問い合わせることによって、第２文字集合中に第３文字と同じ文字が存在することを決定することができ、本開示の実施形態では詳述しない。
【０１９３】
ステップ５０７では、端末は、第２文字集合中に第３文字と同じ文字が存在しなかった場合に、第１文字及び第３文字に基づいて対象辞書を更新する。
【０１９４】
ステップ５０６において、端末が第２文字集合中に第３文字と同じ文字が存在しないことを決定していた場合には、端末は、第１文字及び第３文字に基づいて対象辞書を更新してもよい。本開示の実施形態では、端末は、サーバと通信することによって該対象辞書を更新してもよく、ユーザの操作に基づいて該対象辞書を更新してもよく、本開示の実施形態によっては限定されない。
【０１９５】
例示的には、図５−１３を参照すると、図５−１に示される実施形態に基づく端末によって、第１文字及び第３文字に基づいて対象辞書を更新する方法のフローチャートが示される。図５−１３を参照すると、該方法は、以下のステップを含んでいてもよい。
【０１９６】
サブステップ５０７１ａでは、端末は、サーバに問い合わせ要求を送信する。該問い合わせ要求は、第１文字及び第３文字が順に並べられて構成された、問い合わせられようとしている語句を含む。
【０１９７】
端末は、第１文字及び第３文字を順に並べて問い合わせられようとしている語句を構成し、問い合わせられようとしている語句に基づいて問い合わせ要求を生成して、サーバに問い合わせ要求を送信してもよい。例示的には、第１文字が“ｈ”であり、第２文字が“ｕ”である時、該問い合わせられようとしている語句は“ｈｕ”であり得る。
【０１９８】
サブステップ５０７２ａでは、サーバは、端末により送信された問い合わせ要求を受信する。
【０１９９】
端末がサーバに問い合わせ要求を送信した時に、サーバは問い合わせ要求を受信してもよい。
【０２００】
サブステップ５０７３ａでは、サーバは、問い合わせ要求に基づいて、サーバ中の辞書を問い合わせる。
【０２０１】
サーバ中の辞書内の語彙は、端末に記憶された対象辞書内の語彙よりも豊富であるため、対象辞書内にない語彙が、サーバ中の辞書内にある可能性がある。サーバは、問い合わせ要求に基づいてサーバ中の辞書を問い合わせることにより、第１文字と第３文字との相関関係を取得してもよい。例示的には、該第１文字と第３文字との相関度は、１０％であり得る。
【０２０２】
サブステップ５０７４ａでは、サーバは、問い合わせ応答を生成する。
【０２０３】
サーバは、第１文字と第３文字との相関関係を取得した後に、問い合わせ応答を生成してもよい。該問い合わせ応答は、第１文字と第３文字との相関関係を含んでいる。
【０２０４】
サブステップ５０７５ａでは、サーバは、端末に問い合わせ応答を送信する。
【０２０５】
サーバは、問い合わせ応答を生成した後に、端末に問い合わせ応答を送信してもよい。
【０２０６】
サブステップ５０７６ａでは、端末は、サーバにより送信された問い合わせ応答を受信する。
【０２０７】
サーバが端末に問い合わせ応答を送信した時に、端末は問い合わせ応答を受信してもよい。
【０２０８】
サブステップ５０７７ａでは、サーバ中の辞書内に問い合わせられようとしている語句が存在することを問い合わせ応答が示している場合に、端末は、対象辞書内に第１文字と第３文字との相関関係を記録する。
【０２０９】
問い合わせ応答が第１文字と第３文字との相関関係を含んでいる時に、端末は、サーバ中の辞書内に問い合わせられようとしている語句が存在することを問い合わせ応答が示していると決定してもよい。これにより、端末は、対象辞書内に第１文字と第３文字との相関関係を記録して、更新後の対象辞書を取得する。例示的には、該更新後の対象辞書は、以下の表５に示されるようなものであってもよい。
【０２１０】
【表５】
2018502350.tif 000007
【０２１１】
なお、本開示の実施形態では、サーバ中の辞書内に問い合わせられようとしている語句が存在する例を挙げて説明を行ったが、サーバ中の辞書内に問い合わせられようとしている語句が存在しない時には、端末は、第３文字を第１文字として用いてステップ５０２からステップ５０５までを実行してもよく、端末は、さらに図５−１４に示される方法を用いて対象辞書を更新してもよく、本開示の実施形態によっては限定されない。
【０２１２】
例示的には、図５−１４を参照すると、図５−１に示される実施形態に基づく端末によって、第１文字及び第３文字に基づいて対象辞書を更新する別の方法のフローチャートが示される。図５−１４を参照すると、該方法は、以下のステップを含んでいてもよい。
【０２１３】
サブステップ５０７１ｂでは、端末は、更新プロンプト情報をユーザに表示する。
【０２１４】
第２文字集合中に第３文字と同じ文字が存在しない時には、端末はユーザに対してプロンプトを行ってもよい。例えば、端末は、ユーザに更新プロンプト情報を表示してもよい。該更新プロンプト情報は、音声情報又は文字情報であってもよく、本開示の実施形態によっては限定されない。例示的には、本開示の実施形態では、該更新プロンプト情報が文字情報である例を挙げて説明を行い、端末は、更新プロンプト情報を表示することができる。該更新プロンプト情報は、以下のようなものであってもよい。「文字ｈと文字ｕにより構成される語句が対象辞書に存在しません。辞書に追加しますか？」選択的には、端末は、該更新プロンプト情報を包含したプロンプトボックスを表示し、「確認」ボタンを表示してもよい。
【０２１５】
サブステップ５０７２ｂでは、端末は、更新プロンプト情報に基づいてユーザによってトリガされた更新命令を受信する。該更新命令は、第１文字及び第３文字が順に並べられて構成された、問い合わせられようとしている語句を含んでいる。
【０２１６】
端末がユーザに更新プロンプト情報を表示した後、ユーザは、更新プロンプト情報に基づいて更新命令をトリガしてもよい。例示的には、ユーザは、プロンプトボックス中の「確認」ボタンをクリックすることにより、更新命令をトリガする。該更新命令は、第１文字及び第３文字が順に並べられて構成された問い合わせられようとしている語句を含んでいてもよい。第１文字が“ｈ”であり、第２文字が“ｕ”である時には，該問い合わせられようとしている語句は“ｈｕ”であり得る。
【０２１７】
サブステップ５０７３ｂでは、端末は、対象辞書内に第１文字と第３文字との相関関係を記録する。
【０２１８】
端末は、ユーザによってトリガされた更新命令を受信した後に、対象辞書内に第１文字と第３文字との相関関係を記録してもよい。例示的には、端末は、該第１文字及び第３文字についての初期相関度を決定し、続いてユーザによる該第１文字及び第３文字の入力確率に基づいて該第１文字と第３文字との相関度を調整してもよいが、本開示の実施形態では詳述しない。
【０２１９】
なお、本開示の図５−１に示される実施形態では、端末が実行主体として用いる例を挙げて説明を行ったが、実際的応用では、該図５−１に示される実施形態の実行主体は、端末のプロセッサであってもよく、端末のキーボードであってもよく、キーボードには図５−１に示される文字入力方法を実行するためのプロセッサが統合されていてもよく、本開示の実施形態によっては限定されない。
【０２２０】
なお、本開示の実施形態によって提供される文字入力方法ステップの順序は適宜調整することができ、該ステップは実施状況に応じて増減されてもよい。当業者が本開示によって開示される技術的範囲内にて容易に想到し得る任意の修正された方法は、本開示の保護範囲に含まれるべきであり、ここでは詳述しない。
【０２２１】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０２２２】
図６−１は、さらに別の例示の実施形態に基づく文字入力方法のフローチャートである。本実施形態では、該文字入力方法が図１−１に示される実施環境中に適用される例を挙げて説明を行う。図１−１に示される実施環境中において、端末にはキーボードが設けられている。キーボードが端末の外部デバイスである場合には、該キーボードは端末の入出力インタフェースを通じて端末のプロセッサと通信を行うことができる。キーボードが端末の内部デバイスである場合には、該キーボードは端末のプロセッサに接続されている。図６−１を参照すると、該文字入力方法は、以下のステップを含んでいてもよい。
【０２２３】
ステップ６０１では、端末は、ユーザによって入力された第１文字を受信する。
【０２２４】
実際的応用では、上述のステップ６０１において、キーボードはユーザによって入力された第１文字を受信し、該第１文字を端末のプロセッサへと伝送する。
【０２２５】
ステップ６０２では、端末は、第１文字と相関する第２文字集合を決定する。第２文字集合は、少なくとも１つの第２文字を含んでいる。
【０２２６】
例示的には、図６−２を参照すると、図６−１に示される実施形態に基づく端末によって、第１文字と相関する第２文字集合を決定する方法のフローチャートが示される。図６−２を参照すると、該方法は、以下のステップを含んでいてもよい。
【０２２７】
サブステップ６０２１では、端末は、対象辞書を決定する。対象辞書は、現時点でユーザが使用する入力法に対応する辞書又はユーザが入力する語彙に基づいて確立する辞書であり、対象辞書は異なる文字間の相関関係を記録するものである。
【０２２８】
サブステップ６０２２では、端末は、第１文字に基づいて対象辞書を問い合わせることにより、第２文字集合を取得する。
【０２２９】
ステップ６０１及びステップ６０２については、図５−１に示される実施形態におけるステップ５０１及びステップ５０２を参照することができ、本実施形態では詳述しない。
【０２３０】
ステップ６０３では、端末は、キーボードにキーライトオン命令を送信する。キーライトオン命令は、第２文字集合中の第２文字を含んでいる。
【０２３１】
端末がキーボードにキーライトオン命令を送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御することができる。既定色の光は、ユーザに文字入力をプロンプトするものである。
【０２３２】
本開示の実施形態では、端末は、まず第２文字集合中の第２文字に基づいてキーライトオン命令を生成して、その後にキーボードにキーライトオン命令を送信してもよく、本開示の実施形態では詳述しない。
【０２３３】
ステップ６０４では、キーボードは、端末によって送信されたキーライトオン命令を受信する。
【０２３４】
端末がキーボードにキーライトオン命令を送信する時に、キーボードは、端末によって送信されたキーライトオン命令を受信してもよい。キーライトオン命令は、ユーザによって入力された第１文字に基づいて決定され第１文字と相関する第２文字集合中の第２文字を含んでおり、前記第２文字集合は、少なくとも１つの第２文字を含んでいる。
【０２３５】
ステップ６０５では、キーボードは、キーライトオン命令に基づいて、文字とキー識別子との対応関係を問い合わせることにより、第２文字のそれぞれに対応する対象キー識別子を取得する。
【０２３６】
ステップ６０５については、図５−１に示される実施形態におけるステップ５０３を参照することができ、本実施形態では詳述しない。
【０２３７】
ステップ６０６では、キーボードは、対象キー識別子によって示された対象キーに対応するキーライトを、既定色の光を発するように制御する。既定色の光は、ユーザに文字入力をプロンプトするものである。
【０２３８】
例示的には、図６−３を参照すると、図６−１に示される実施形態に基づくキーボードによって、対象キー識別子によって示された対象キーに対応するキーライトをオンにして既定色の光を発するように制御する方法のフローチャートが示される。図６−３を参照すると、該方法は、以下のステップを含んでいてもよい。
【０２３９】
サブステップ６０６１ａでは、キーボードは、対象キー識別子によって示された対象キーに対応するキーライトをオンにして、既定色の光を発するように制御する。
【０２４０】
サブステップ６０６２ａでは、キーボードは、キーボード上の対象キーを除くキーに対応するキーライトをオフにするように制御する。
【０２４１】
本開示の実施形態では、キーボード上のキーは、機能キーを含んでいてもよい。該機能キーは、数字が設けられたキー、句読点が設けられたキー及びスペースが設けられたキー等を含んでいてもよく、本開示の実施形態によっては限定されない。例示的には、図６−４を参照すると、図６−１に示される実施形態に基づく別のキーボードによって、対象キー識別子によって示された対象キーに対応するキーライトを既定色の光を発するように制御する方法のフローチャートが示される。図６−４を参照すると、該方法は、以下のステップを含んでいてもよい。
【０２４２】
サブステップ６０６１ｂでは、キーボードは、対象キー識別子によって示された対象キーに対応するキーライトを、第１既定色の光を発するように制御する。
【０２４３】
サブステップ６０６２ｂでは、キーボードは、機能キーに対応するキーライトを、第２既定色の光を発するように制御する。
【０２４４】
サブステップ６０６３ｂでは、キーボードは、キーボード上の対象キー及び機能キーを除くキーに対応するキーライトを、第３既定色の光を発するように制御する。
【０２４５】
第１既定色、第２既定色及び第３既定色は、互いに異なっている。
【０２４６】
本開示の実施形態では、キーボード上のキーは、機能キーを含んでいてもよい。該機能キーは、数字が設けられたキー、句読点が設けられたキー及びスペースが設けられたキー等を含んでいてもよく、本開示の実施形態によっては限定されない。例示的には、図６−５を参照すると、図６−１に示される実施形態に基づくさらに別のキーボードによって、対象キー識別子によって示された対象キーに対応するキーライトを既定色の光を発するように制御する方法のフローチャートが示される。図６−５を参照すると、該方法は、以下のステップを含んでいてもよい。
【０２４７】
サブステップ６０６１ｃでは、キーボードは、対象キー識別子によって示された対象キーに対応するキーライトを、第１既定色の光を発するように制御する。
【０２４８】
サブステップ６０６２ｃでは、キーボードは、機能キーに対応するキーライトを、第２既定色の光を発するように制御する。
【０２４９】
サブステップ６０６３ｃでは、キーボードは、キーボード上の対象キー及び機能キーを除くキーに対応するキーライトをオフにするように制御する。
【０２５０】
第１既定色は、第２既定色とは異なっている。
【０２５１】
例示的には、図６−６を参照すると、図６−１に示される実施形態に基づくまた別のキーボードによって、対象キー識別子によって示された対象キーに対応するキーライトを既定色の光を発するように制御する方法のフローチャートが示される。図６−６を参照すると、該方法は、以下のステップを含んでいてもよい。
【０２５２】
サブステップ６０６１ｄでは、キーボードは、対象キー識別子によって示された対象キーに対応するキーライトを、既定色の光を発すると共に点滅するように制御する。
【０２５３】
本開示の実施形態では、第２文字集合が少なくとも２つの第２文字を含んでおり、第２文字のそれぞれと第１文字との相関度が異なっていてもよく、キーボードは、第２文字と第１文字との相関度に基づいて、第２文字に対応する対象キー識別子によって示された対象キーに対応するキーライトを、既定色の光を発するように制御することができる。例示的には、図６−７を参照すると、図６−１に示される実施形態に基づくさらに別のキーボードによって、対象キー識別子によって示された対象キーに対応するキーライトを既定色の光を発するように制御する方法のフローチャートが示される。図６−７を参照すると、該方法は、以下のステップを含んでいてもよい。
【０２５４】
サブステップ６０６１ｅでは、キーボードは、第２文字のそれぞれと第１文字との相関度をそれぞれ決定することにより、少なくとも２つの相関度を取得する。
【０２５５】
なお、対象辞書が端末に記憶されているため、端末は、端末によってキーボードに送信されたキーライトオン命令は、第２文字集合中の第２文字と第１文字との相関度をさらに含んでいてもよく、それによって、キーボードが第２文字のそれぞれと第１文字との相関度を決定するのに便利になる。
【０２５６】
サブステップ６０６２ｅでは、キーボードは、第２文字のそれぞれに対応する対象キー識別子によって示された対象キーに対応するキーライトを、既定色の光を発するように制御する。
【０２５７】
任意の１つの対象キーに対応するキーライトによって発せられる光の強度は、任意の１つの対象キーに対応する第２文字と第１文字との相関度と正の相関がある。
【０２５８】
本開示の実施形態では、第２文字集合は、少なくとも２つの第２文字を含んでおり、少なくとも２つの第２文字は、順に並べられている。例えば、少なくとも２つの第２文字は、第２文字と第１文字との相関度に照らして大きい順に並べられており、キーボードは、少なくとも２つの第２文字の並び順に基づいて、第２文字に対応する対象キー識別子によって示された対象キーに対応するキーライトを、既定色の光を発するように順に制御することができる。例示的には、図６−８を参照すると、図６−１に示される実施形態に基づくまた別のキーボードによって、対象キー識別子によって示された対象キーに対応するキーライトを既定色の光を発するように制御する方法のフローチャートが示される。図６−８を参照すると、該方法は、以下のステップを含んでいてもよい。
【０２５９】
サブステップ６０６１ｆでは、キーボードは、少なくとも２つの第２文字の並び順に基づいて、第２文字のそれぞれに対応する対象キー識別子によって示された対象キーに対応するキーライトを、既定色の光を発するように順に制御する。
【０２６０】
ステップ６０６の実現プロセスについては、図５−１に示される実施形態におけるステップ５０４を参照することができ、本実施形態では詳述しない。
【０２６１】
ステップ６０７では、端末は、ユーザによって入力された第３文字を受信する。
【０２６２】
実際的応用では、上述のステップ６０７において、キーボードはユーザによって入力された第３文字を受信し、該第３文字を端末のプロセッサへと伝送する。
【０２６３】
ステップ６０８では、端末は、第２文字集合中に第３文字と同じ文字が存在するか否かを判断する。
【０２６４】
ステップ６０９では、端末は、第２文字集合中に第３文字と同じ文字が存在しなかった場合に、第１文字及び第３文字に基づいて対象辞書を更新する。
【０２６５】
例示的には、図６−９を参照すると、図６−１に示される実施形態に基づく端末によって、第１文字及び第３文字に基づいて対象辞書を更新する方法のフローチャートが示される。図６−９を参照すると、該方法は、以下のステップを含んでいてもよい。
【０２６６】
サブステップ６０９１ａでは、端末は、サーバに問い合わせ要求を送信する。該問い合わせ要求は、第１文字及び第３文字が順に並べられて構成された、問い合わせられようとしている語句を含む。
【０２６７】
サブステップ６０９２ａでは、サーバは、端末により送信された問い合わせ要求を受信する。
【０２６８】
サブステップ６０９３ａでは、サーバは、問い合わせ要求に基づいて、サーバ中の辞書を問い合わせる。
【０２６９】
サブステップ６０９４ａでは、サーバは、問い合わせ応答を生成する。
【０２７０】
サブステップ６０９５ａでは、サーバは、端末に問い合わせ応答を送信する。
【０２７１】
サブステップ６０９６ａでは、端末は、サーバにより送信された問い合わせ応答を受信する。
【０２７２】
サブステップ６０９７ａでは、サーバ中の辞書内に問い合わせられようとしている語句が存在することを問い合わせ応答が示している場合に、端末は、対象辞書内に第１文字と第３文字との相関関係を記録する。
【０２７３】
例示的には、図６−１０を参照すると、図６−１に示される実施形態に基づく別の端末によって、第１文字及び第３文字に基づいて対象辞書を更新する方法のフローチャートが示される。図６−１０を参照すると、該方法は、以下のステップを含んでいてもよい。
【０２７４】
サブステップ６０９１ｂでは、端末は、更新プロンプト情報をユーザに表示する。
【０２７５】
サブステップ６０９２ｂでは、端末は、更新プロンプト情報に基づいてユーザによってトリガされた更新命令を受信する。該更新命令は、第１文字及び第３文字が順に並べられて構成された、問い合わせられようとしている語句を含んでいる。
【０２７６】
サブステップ６０９３ｂでは、端末は、対象辞書内に第１文字と第３文字との相関関係を記録する。
【０２７７】
ステップ６０６からステップ６０９までの実現プロセスについては、図５−１に示される実施形態におけるステップ５０５からステップ５０７までを参照することができ、本実施形態では詳述しない。
【０２７８】
なお、本開示の実施形態によって提供される文字入力方法ステップの順序は適宜調整することができ、該ステップは実施状況に応じて増減されてもよい。当業者が本開示によって開示される技術的範囲内にて容易に想到し得る任意の修正された方法は、本開示の保護範囲に含まれるべきであり、ここでは詳述しない。
【０２７９】
以上のように、本開示の実施形態において提供される文字を入力する方法では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０２８０】
以下に示す本開示の装置の実施形態は、本開示の方法の実施形態を実施するために用いることができる。本開示の装置の実施形態に記載されていない詳細については、本開示の方法の実施形態を参照されたい。
【０２８１】
図７は、例示の実施形態に基づく文字入力装置７００のブロック図である。該文字入力装置７００は、ソフトウェア、ハードウェア又はそれらの組み合わせによって実現される、図１−１に示される実施環境中の端末の一部又は全部であってもよい。図７を参照すると、該文字入力装置７００は、第１受信モジュール７１０と、決定モジュール７２０と、問い合わせモジュール７３０と、制御モジュール７４０とを含んでいてもよい。
【０２８２】
第１受信モジュール７１０は、ユーザによって入力された第１文字を受信するように構成されている。
【０２８３】
決定モジュール７２０は、第１文字と相関する第２文字集合を決定するように構成されている。第２文字集合は、少なくとも１つの第２文字を含んでいる。
【０２８４】
問い合わせモジュール７３０は、文字とキー識別子との対応関係を問い合わせることにより、第２文字のそれぞれに対応する対象キー識別子を取得するように構成されている。
【０２８５】
制御モジュール７４０は、対象キー識別子によって示された対象キーに対応するキーライトを、既定色の光を発するように制御するように構成されている。既定色の光は、ユーザに文字入力をプロンプトするものである。
【０２８６】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０２８７】
図８は、別の例示の実施形態に基づく文字入力装置８００のブロック図である。該文字入力装置８００は、ソフトウェア、ハードウェア又はそれらの組み合わせによって実現される、図１−１に示される実施環境中の端末の一部又は全部であってもよい。図８を参照すると、該文字入力装置８００は、これらに限定されないが、第１受信モジュール８１０と、決定モジュール８２０と、問い合わせモジュール８３０と、制御モジュール８４０とを含んでいてもよい。
【０２８８】
第１受信モジュール８１０は、ユーザによって入力された第１文字を受信するように構成されている。
【０２８９】
決定モジュール８２０は、第１文字と相関する第２文字集合を決定するように構成されている。第２文字集合は、少なくとも１つの第２文字を含んでいる。
【０２９０】
問い合わせモジュール８３０は、文字とキー識別子との対応関係を問い合わせることにより、第２文字のそれぞれに対応する対象キー識別子を取得するように構成されている。
【０２９１】
制御モジュール８４０は、対象キー識別子によって示された対象キーに対応するキーライトを、既定色の光を発するように制御するように構成されている。既定色の光は、ユーザに文字入力をプロンプトするものである。
【０２９２】
選択的には、決定モジュール８２０が、
対象辞書を決定し、対象辞書は、現時点でユーザが使用する入力法に対応する辞書又はユーザが入力する語彙に基づいて確立する辞書であり、対象辞書は異なる文字間の相関関係を記録するものであり、
第１文字に基づいて対象辞書を問い合わせることにより、第２文字集合を取得する
ように構成されている。
【０２９３】
選択的には、図８を続けて参照すると、該文字入力装置８００は、第２受信モジュール８５０と、判断モジュール８６０と、更新モジュール８７０とをさらに含んでいてもよい。
【０２９４】
第２受信モジュール８５０は、ユーザによって入力された第３文字を受信するように構成されている。
【０２９５】
判断モジュール８６０は、第２文字集合中に第３文字と同じ文字が存在するか否かを判断するように構成されている。
【０２９６】
更新モジュール８７０は、第２文字集合中に第３文字と同じ文字が存在しなかった場合に、第１文字及び第３文字に基づいて対象辞書を更新するように構成されている。
を含んでいる。
【０２９７】
選択的には、更新モジュール８７０が、
サーバに問い合わせ要求を送信し、問い合わせ要求は、第１文字及び第３文字が順に並べられて構成された、問い合わせられようとしている語句を含んでおり、
サーバにより送信された問い合わせ応答を受信し、問い合わせ応答は、サーバによってサーバ中の辞書を問い合わせたことにより生成されたものであり、
サーバ中の辞書内に問い合わせられようとしている語句が存在することを問い合わせ応答が示している場合に、対象辞書内に第１文字と第３文字との相関関係を記録する
ように構成されている。
【０２９８】
選択的には、更新モジュール８７０が、
更新プロンプト情報をユーザに表示し、
更新プロンプト情報に基づいてユーザによってトリガされた更新命令を受信し、更新命令は、第１文字及び第３文字が順に並べられて構成された、問い合わせられようとしている語句を含んでおり、
対象辞書内に第１文字と第３文字との相関関係を記録する
ように構成されている。
【０２９９】
選択的には、制御モジュール８４０が、
対象キー識別子によって示された対象キーに対応するキーライトをオンにして、既定色の光を発するように制御し、
キーボード上の対象キーを除くキーに対応するキーライトをオフにするように制御する
ように構成されている。
【０３００】
選択的には、キーボード上のキーが機能キーを含んでおり、制御モジュール８４０が、
対象キー識別子によって示された対象キーに対応するキーライトを、第１既定色の光を発するように制御し、
機能キーに対応するキーライトを、第２既定色の光を発するように制御し、
キーボード上の対象キー及び機能キーを除くキーに対応するキーライトを、第３既定色の光を発するように制御する
ように構成されており、
第１既定色、第２既定色及び第３既定色が互いに異なっている。
【０３０１】
選択的には、キーボード上のキーが機能キーを含んでおり、制御モジュール８４０が、
対象キー識別子によって示された対象キーに対応するキーライトを、第１既定色の光を発するように制御し、
機能キーに対応するキーライトを、第２既定色の光を発するように制御し、
キーボード上の対象キー及び機能キーを除くキーに対応するキーライトをオフにするように制御する
ように構成されており、
第１既定色が、第２既定色とは異なっている。
【０３０２】
選択的には、制御モジュール８４０が、
対象キー識別子によって示された対象キーに対応するキーライトを、既定色の光を発すると共に点滅するように制御するように構成されている。
【０３０３】
選択的には、第２文字集合が、少なくとも２つの第２文字を含んでおり、
制御モジュール８４０が、
第２文字のそれぞれと第１文字との相関度をそれぞれ決定することにより、少なくとも２つの相関度を取得し、
第２文字のそれぞれに対応する対象キー識別子によって示された対象キーに対応するキーライトを、既定色の光を発するように制御する
ように構成されており、
任意の１つの対象キーに対応するキーライトによって発せられる光の強度は、任意の１つの対象キーに対応する第２文字と第１文字との相関度と正の相関がある。
【０３０４】
選択的には、第２文字集合が、少なくとも２つの第２文字を含んでおり、少なくとも２つの第２文字が順に並べられており、
制御モジュール８４０が、
少なくとも２つの第２文字の並び順に基づいて、第２文字のそれぞれに対応する対象キー識別子によって示された対象キーに対応するキーライトを、既定色の光を発するように順に制御するように構成されている。
【０３０５】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３０６】
図９は、さらに別の例示の実施形態に基づく文字入力装置９００のブロック図である。該文字入力装置９００は、ソフトウェア、ハードウェア又はそれらの組み合わせによって実現される、図１−１に示される実施環境中の端末の一部又は全部であってもよい。図９を参照すると、該文字入力装置９００は、受信モジュール９１０と、問い合わせモジュール９２０と、制御モジュール９３０とを含んでいてもよい。
【０３０７】
受信モジュール９１０は、キーライトオン命令を受信するように構成されている。キーライトオン命令は、ユーザによって入力された第１文字に基づいて決定され第１文字と相関する第２文字集合中の第２文字を含んでおり、第２文字集合は、少なくとも１つの第２文字を含んでいる。
【０３０８】
問い合わせモジュール９２０は、キーライトオン命令に基づいて、文字とキー識別子との対応関係を問い合わせることにより、第２文字のそれぞれに対応する対象キー識別子を取得するように構成されている。
【０３０９】
制御モジュール９３０は、対象キー識別子によって示された対象キーに対応するキーライトを、既定色の光を発するように制御するように構成されている。既定色の光は、ユーザに文字入力をプロンプトするものである。
【０３１０】
以上のように、本開示の実施形態において提供される文字を入力する装置では、キーライトオン命令を受信し、キーライトオン命令は、ユーザによって入力された第１文字に基づいて決定され第１文字と相関する第２文字集合中の第２文字を含んでおり、第２文字集合は、少なくとも１つの第２文字を含んでおり、キーライトオン命令に基づいて、文字とキー識別子との対応関係を問い合わせることにより、第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３１１】
選択的には、制御モジュール９３０が、
対象キー識別子によって示された対象キーに対応するキーライトをオンにして、既定色の光を発するように制御し、
キーボード上の対象キーを除くキーに対応するキーライトをオフにするように制御する
ように構成されている。
【０３１２】
選択的には、キーボード上のキーが機能キーを含んでおり、制御モジュール９３０が、
対象キー識別子によって示された対象キーに対応するキーライトを、第１既定色の光を発するように制御し、
機能キーに対応するキーライトを、第２既定色の光を発するように制御し、
キーボード上の対象キー及び機能キーを除くキーに対応するキーライトを、第３既定色の光を発するように制御する
ように構成されており、
第１既定色、第２既定色及び第３既定色が互いに異なっている。
【０３１３】
選択的には、キーボード上のキーが機能キーを含んでおり、制御モジュール９３０が、
対象キー識別子によって示された対象キーに対応するキーライトを、第１既定色の光を発するように制御し、
機能キーに対応するキーライトを、第２既定色の光を発するように制御し、
キーボード上の対象キー及び機能キーを除くキーに対応するキーライトをオフにするように制御する
ように構成されており、
第１既定色が、第２既定色とは異なっている。
【０３１４】
選択的には、制御モジュール９３０が、
対象キー識別子によって示された対象キーに対応するキーライトを、既定色の光を発すると共に点滅するように制御するように構成されている。
【０３１５】
選択的には、第２文字集合が、少なくとも２つの第２文字を含んでおり、
制御モジュール９３０が、
第２文字のそれぞれと第１文字との相関度をそれぞれ決定することにより、少なくとも２つの相関度を取得し、
第２文字のそれぞれに対応する対象キー識別子によって示された対象キーに対応するキーライトを、既定色の光を発するように制御する
ように構成されており、
任意の１つの対象キーに対応するキーライトによって発せられる光の強度は、任意の１つの対象キーに対応する第２文字と第１文字との相関度と正の相関がある。
【０３１６】
選択的には、第２文字集合が、少なくとも２つの第２文字を含んでおり、少なくとも２つの第２文字が順に並べられており、
制御モジュール９３０が、
少なくとも２つの第２文字の並び順に基づいて、第２文字のそれぞれに対応する対象キー識別子によって示された対象キーに対応するキーライトを、既定色の光を発するように順に制御するように構成されている。
【０３１７】
以上のように、本開示の実施形態において提供される文字を入力する装置では、キーライトオン命令を受信し、キーライトオン命令は、ユーザによって入力された第１文字に基づいて決定され第１文字と相関する第２文字集合中の第２文字を含んでおり、第２文字集合は、少なくとも１つの第２文字を含んでおり、キーライトオン命令に基づいて、文字とキー識別子との対応関係を問い合わせることにより、第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３１８】
図１０は、また別の例示の実施形態に基づく文字入力装置１０００のブロック図である。該文字入力装置１０００は、ソフトウェア、ハードウェア又はそれらの組み合わせによって実現される、図１−１に示される実施環境中の端末の一部又は全部であってもよい。図１０を参照すると、該文字入力装置１０００は、第１受信モジュール１０１０と、決定モジュール１０２０と、送信モジュール１０３０とを含んでいてもよい。
【０３１９】
第１受信モジュール１０１０は、ユーザによって入力された第１文字を受信するように構成されている。
【０３２０】
決定モジュール１０２０は、第１文字と相関する第２文字集合を決定するように構成されている。第２文字集合は、少なくとも１つの第２文字を含んでいる。
【０３２１】
送信モジュール１０３０は、キーライトオン命令を送信するように構成されている。キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御する。既定色の光は、ユーザに文字入力をプロンプトするものである。
【０３２２】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、キーライトオン命令を送信し、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３２３】
図１１は、さらに別の例示の実施形態に基づく文字入力装置１１００のブロック図である。該文字入力装置１１００は、ソフトウェア、ハードウェア又はそれらの組み合わせによって実現される、図１−１に示される実施環境中の端末の一部又は全部であってもよい。図１１を参照すると、該文字入力装置１１００は、第１受信モジュール１１１０と、決定モジュール１１２０と、送信モジュール１１３０とを含んでいてもよい。
【０３２４】
第１受信モジュール１１１０は、ユーザによって入力された第１文字を受信するように構成されている。
【０３２５】
決定モジュール１１２０は、第１文字と相関する第２文字集合を決定するように構成されている。第２文字集合は、少なくとも１つの第２文字を含んでいる。
【０３２６】
送信モジュール１１３０は、キーライトオン命令を送信するように構成されている。キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御する。既定色の光は、ユーザに文字入力をプロンプトするものである。
【０３２７】
選択的には、決定モジュール１１２０が、
対象辞書を決定し、対象辞書は、現時点でユーザが使用する入力法に対応する辞書又はユーザが入力する語彙に基づいて確立する辞書であり、対象辞書は異なる文字間の相関関係を記録するものであり、
第１文字に基づいて対象辞書を問い合わせることにより、第２文字集合を取得する
ように構成されている。
【０３２８】
選択的には、図１１を続けて参照すると、装置１１００は、第２受信モジュール１１４０と、判断モジュール１１５０と、更新モジュール１１６０とをさらに含んでいてもよい。
【０３２９】
第２受信モジュール１１４０は、ユーザによって入力された第３文字を受信するように構成されている。
【０３３０】
判断モジュール１１５０は、第２文字集合中に第３文字と同じ文字が存在するか否かを判断するように構成されている。
【０３３１】
更新モジュール１１６０は、第２文字集合中に第３文字と同じ文字が存在しなかった場合に、第１文字及び第３文字に基づいて対象辞書を更新するように構成されている。
【０３３２】
選択的には、更新モジュール１１６０が、
サーバに問い合わせ要求を送信し、問い合わせ要求は、第１文字及び第３文字が順に並べられて構成された、問い合わせられようとしている語句を含んでおり、
サーバにより送信された問い合わせ応答を受信し、問い合わせ応答は、サーバによってサーバ中の辞書を問い合わせたことにより生成されたものであり、
サーバ中の辞書内に問い合わせられようとしている語句が存在することを問い合わせ応答が示している場合に、対象辞書内に第１文字と第３文字との相関関係を記録する
ように構成されている。
【０３３３】
選択的には、更新モジュール１１６０が、
更新プロンプト情報をユーザに表示し、
更新プロンプト情報に基づいてユーザによってトリガされた更新命令を受信し、更新命令は、第１文字及び第３文字が順に並べられて構成された、問い合わせられようとしている語句を含んでおり、
対象辞書内に第１文字と第３文字との相関関係を記録する
ように構成されている
【０３３４】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、キーライトオン命令を送信し、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３３５】
図１２は、本開示の例示の実施形態に基づく文字を入力する装置１２００を表すブロック図である。例えば、装置１２００はプロセッサが統合されたキーボードであってもよく、該キーボードは、携帯電話、モバイルフォン、デジタルブロードキャスト端末、メッセージ送受信デバイス、ゲームコンソール、医療機器、健康器具、パーソナルデジタルアシスタンス（ＰＤＡ）、デスクトップコンピュータ、ポータブルラップトップコンピュータ、ノートブックコンピュータ、スマートテレビ、スマートウェアラブルデバイス等に設置されていてもよく、本開示の実施形態によっては限定されない。
【０３３６】
図１２を参照すると、装置１２００は、以下の１つ又は複数のコンポーネント、すなわち、処理コンポーネント１２０２、メモリ１２０４、電源コンポーネント１２０６、入力／出力（Ｉ／Ｏ）インタフェース１２０８、センサコンポーネント１２１０及び通信コンポーネント１２１２を含んでいてもよい。
【０３３７】
処理コンポーネント１２０２は、典型的には、装置１２００の全体的な操作、例えば、通信、処理及び記録操作に関する操作などを制御する。処理コンポーネント１２０２は、上述の方法におけるステップの全部又は一部を実施するための命令を実行する１つ又は複数のプロセッサ１２２０を含んでいてもよい。さらに、処理コンポーネント１２０２は、処理コンポーネント１２０２と他のコンポーネントとの間の対話を容易にする１つ又は複数のモジュールを含んでいてもよい。
【０３３８】
メモリ１２０４は、装置１２００の操作をサポートするための種々のタイプのデータを保存するように構成されている。このようなデータの例には、装置１２００上において操作される任意のアプリケーション又は方法のための命令、メッセージ、ピクチャ、ビデオ等が含まれる。メモリ１２０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０３３９】
電源コンポーネント１２０６は、装置１２００の種々のコンポーネントに電力を供給する。電源コンポーネント１２０６は、電源管理システム、１つ又は複数の電源、及び、装置１２００において電力を生成、管理及び分配することに関する任意の他のコンポーネントを含んでいてもよい。
【０３４０】
Ｉ／Ｏインタフェース１２０８は、処理コンポーネント１２０２と周辺インタフェースモジュールとの間にインタフェースを提供する。該周辺インタフェースモジュールは、キーボードであってもよい。
【０３４１】
センサコンポーネント１２１０は、装置１２００における種々の様相の状態評価を提供するための１つ又は複数のセンサを含む。例えば、センサコンポーネント１２１０は、装置１２００のオープン／クローズ状態及びコンポーネントの相対位置を検出してもよく、例えば、該コンポーネントは、装置１２００のディスプレイ及びキーパッドであってもよい。センサコンポーネント１２１０はまた、装置１２００又は装置１２００のコンポーネントの位置の変化、装置１２００とコンタクトを取っているユーザの存在又は不存在、装置１２００の向き又は加速／減速、及び装置１２００の温度変化を検出してもよい。センサコンポーネント１２１０は、物理的接触のない状態で近くの物体の存在を検出するように構成された近接センサを含んでいてもよい。センサコンポーネント１２１０はまた、撮影アプリケーションにおいて使用するための、ＣＭＯＳ又はＣＣＤイメージセンサのような光センサを含んでいてもよい。いくつかの実施形態では、センサコンポーネント１２１０はまた、加速度センサ、ジャイロセンサ、磁気センサ、圧力センサ又は温度センサを含んでいてもよい。
【０３４２】
通信コンポーネント１２１２は、装置１２００と他の装置との間の有線又は無線の通信を容易にするように構成されている。装置１２００は、ＷｉＦｉ、２Ｇ若しくは３Ｇ、又はそれらの組み合わせのような通信規格に基づく無線ネットワークにアクセスすることができる。例示の一実施形態では、通信コンポーネント１２１２は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０３４３】
例示の実施形態では、装置１２００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０３４４】
例示の実施形態では、命令を含んだメモリ１２０４のような、命令を含んだ非一時的なコンピュータ読み取り可能記憶媒体もまた提供され、上記命令は、上述の方法を実施するために、装置１２００のプロセッサ１２２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０３４５】
非一時的なコンピュータ読み取り可能記憶媒体は、装置１２００のプロセッサによって実行可能な、装置１２００に上述の文字入力方法を実行させるための命令を含んでいる。該方法は、
ユーザによって入力された第１文字を受信することと、
第１文字と関連付けられた第２文字集合を決定することであって、第２文字集合は、少なくとも１つの第２文字を含んでいる、ことと、
文字とキー識別子との対応関係を問い合わせることにより、第２文字のそれぞれに対応する対象キー識別子を取得することと、
対象キー識別子によって示された対象キーに対応するキーライトを、既定色の光を発するように制御することであって、既定色の光は、ユーザに文字入力をプロンプトするものである、ことと
を含んでいる。
【０３４６】
選択的には、第１文字と相関する第２文字集合を決定することであって、第２文字集合は、少なくとも１つの第２文字を含んでいる、ことが、
対象辞書を決定することであって、対象辞書は、現時点でユーザが使用する入力法に対応する辞書又はユーザが入力する語彙に基づいて確立する辞書であり、対象辞書は異なる文字間の相関関係を記録するものである、ことと、
第１文字に基づいて対象辞書を問い合わせることにより、第２文字集合を取得することと
を含んでいる。
【０３４７】
選択的には、該方法が、さらに、
ユーザによって入力された第３文字を受信することと、
第２文字集合中に第３文字と同じ文字が存在するか否かを判断することと、
第２文字集合中に第３文字と同じ文字が存在しなかった場合に、第１文字及び第３文字に基づいて対象辞書を更新することと
を含んでいる。
【０３４８】
選択的には、第１文字及び第３文字に基づいて対象辞書を更新することが、
サーバに問い合わせ要求を送信することであって、問い合わせ要求は、第１文字及び第３文字が順に並べられて構成された、問い合わせられようとしている語句を含んでいる、ことと、
サーバにより送信された問い合わせ応答を受信することであって、問い合わせ応答は、サーバによってサーバ中の辞書を問い合わせたことにより生成されたものである、ことと、
サーバ中の辞書内に問い合わせられようとしている語句が存在することを問い合わせ応答が示している場合に、対象辞書内に第１文字と第３文字との相関関係を記録することと
を含んでいる。
【０３４９】
選択的には、第１文字及び第３文字に基づいて対象辞書を更新することが、
更新プロンプト情報をユーザに表示することと、
更新プロンプト情報に基づいてユーザによってトリガされた更新命令を受信することであって、更新命令は、第１文字及び第３文字が順に並べられて構成された、問い合わせられようとしている語句を含んでいる、ことと、
対象辞書内に第１文字と第３文字との相関関係を記録することと
を含んでいる。
【０３５０】
選択的には、対象キー識別子によって示された対象キーに対応するキーライトを、既定色の光を発するように制御することが、
対象キー識別子によって示された対象キーに対応するキーライトをオンにして、既定色の光を発するように制御することと、
キーボード上の対象キーを除くキーに対応するキーライトをオフにするように制御することと
を含んでいる。
【０３５１】
選択的には、キーボード上のキーが機能キーを含んでおり、対象キー識別子によって示された対象キーに対応するキーライトを、既定色の光を発するように制御することが、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトを、第３既定色の光を発するように制御することと
を含み、
第１既定色、第２既定色及び第３既定色が互いに異なっている。
【０３５２】
選択的には、キーボード上のキーが機能キーを含んでおり、対象キー識別子によって示された対象キーに対応するキーライトを、既定色の光を発するように制御することが、
対象キー識別子によって示された対象キーに対応するキーライトを、第１既定色の光を発するように制御することと、
機能キーに対応するキーライトを、第２既定色の光を発するように制御することと、
キーボード上の対象キーを除くキーに対応するキーライトをオフにするように制御することと
を含み、
第１既定色が、第２既定色とは異なっている。
【０３５３】
選択的には、対象キー識別子によって示された対象キーに対応するキーライトを、既定色の光を発するように制御することが、
対象キー識別子によって示された対象キーに対応するキーライトを、既定色の光を発すると共に点滅するように制御することを含んでいる。
【０３５４】
選択的には、第２文字集合が、少なくとも２つの第２文字を含んでおり、
対象キー識別子によって示された対象キーに対応するキーライトを、既定色の光を発するように制御することが、
第２文字のそれぞれと第１文字との相関度をそれぞれ決定することにより、少なくとも２つの相関度を取得することと、
第２文字のそれぞれに対応する対象キー識別子によって示された対象キーに対応するキーライトを、既定色の光を発するように制御することと
を含み、
任意の１つの対象キーに対応するキーライトによって発せられる光の強度は、任意の１つの対象キーに対応する第２文字と第１文字との相関度と正の相関がある。
【０３５５】
選択的には、第２文字集合が、少なくとも２つの第２文字を含んでおり、少なくとも２つの第２文字が順に並べられており、
対象キー識別子によって示された対象キーに対応するキーライトを、既定色の光を発するように制御することが、
少なくとも２つの第２文字の並び順に基づいて、第２文字のそれぞれに対応する対象キー識別子によって示された対象キーに対応するキーライトを、既定色の光を発するように順に制御することを含んでいる。
【０３５６】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３５７】
図１３は、本開示の別の例示の実施形態に基づく文字を入力する装置１３００を表すブロック図である。例えば、装置１３００はキーボードであってもよく、該キーボードは、携帯電話、モバイルフォン、デジタルブロードキャスト端末、メッセージ送受信デバイス、ゲームコンソール、医療機器、健康器具、パーソナルデジタルアシスタンス（ＰＤＡ）、デスクトップコンピュータ、ポータブルラップトップコンピュータ、ノートブックコンピュータ、スマートテレビ、スマートウェアラブルデバイス等に設置されていてもよく、本開示の実施形態によっては限定されない。
【０３５８】
図１３を参照すると、装置１３００は、以下の１つ又は複数のコンポーネント、すなわち、処理コンポーネント１３０２、メモリ１３０４、電源コンポーネント１３０６、入力／出力（Ｉ／Ｏ）インタフェース１３０８、センサコンポーネント１３１０及び通信コンポーネント１３１２を含んでいてもよい。
【０３５９】
処理コンポーネント１３０２は、典型的には、装置１３００の全体的な操作、例えば、通信、処理及び記録操作に関する操作などを制御する。処理コンポーネント１３０２は、上述の方法におけるステップの全部又は一部を実施するための命令を実行する１つ又は複数のプロセッサ１３２０を含んでいてもよい。さらに、処理コンポーネント１３０２は、処理コンポーネント１３０２と他のコンポーネントとの間の対話を容易にする１つ又は複数のモジュールを含んでいてもよい。
【０３６０】
メモリ１３０４は、装置１３００の操作をサポートするための種々のタイプのデータを保存するように構成されている。このようなデータの例には、装置１３００上において操作される任意のアプリケーション又は方法のための命令、メッセージ、ピクチャ、ビデオ等が含まれる。メモリ１３０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０３６１】
電源コンポーネント１３０６は、装置１３００の種々のコンポーネントに電力を供給する。電源コンポーネント１３０６は、電源管理システム、１つ又は複数の電源、及び、装置１３００において電力を生成、管理及び分配することに関する任意の他のコンポーネントを含んでいてもよい。
【０３６２】
Ｉ／Ｏインタフェース１３０８は、処理コンポーネント１３０２と周辺インタフェースモジュールとの間に、インタフェースを提供する。該周辺インタフェースモジュールは、キーボードであってもよい。
【０３６３】
センサコンポーネント１３１０は、装置１３００における種々の様相の状態評価を提供するための１つ又は複数のセンサを含む。例えば、センサコンポーネント１３１０は、装置１３００のオープン／クローズ状態及びコンポーネントの相対位置を検出してもよく、例えば、該コンポーネントは、装置１３００のディスプレイ及びキーパッドであってもよい。センサコンポーネント１３１０はまた、装置１３００又は装置１３００のコンポーネントの位置の変化、装置１３００とコンタクトを取っているユーザの存在又は不存在、装置１３００の向き又は加速／減速、及び装置１３００の温度変化を検出してもよい。センサコンポーネント１３１０は、物理的接触のない状態で近くの物体の存在を検出するように構成された近接センサを含んでいてもよい。センサコンポーネント１３１０はまた、撮影アプリケーションにおいて使用するための、ＣＭＯＳ又はＣＣＤイメージセンサのような光センサを含んでいてもよい。いくつかの実施形態では、センサコンポーネント１３１０はまた、加速度センサ、ジャイロセンサ、磁気センサ、圧力センサ又は温度センサを含んでいてもよい。
【０３６４】
通信コンポーネント１３１２は、装置１３００と他の装置との間の有線又は無線の通信を容易にするように構成されている。装置１３００は、ＷｉＦｉ、２Ｇ若しくは３Ｇ、又はそれらの組み合わせのような通信規格に基づく無線ネットワークにアクセスすることができる。例示の一実施形態では、通信コンポーネント１３１２は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０３６５】
例示の実施形態では、装置１３００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０３６６】
例示の実施形態では、命令を含んだメモリ１３０４のような、命令を含んだ非一時的なコンピュータ読み取り可能記憶媒体もまた提供され、上記命令は、上述の方法を実施するために、装置１３００のプロセッサ１３２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０３６７】
非一時的なコンピュータ読み取り可能記憶媒体は、装置１３００のプロセッサによって実行可能な、装置１３００に上述の文字入力方法を実行させるための命令を含んでいる。該方法は、
キーライトオン命令を受信することであって、キーライトオン命令は、ユーザによって入力された第１文字に基づいて決定され第１文字と相関する第２文字集合中の第２文字を含んでおり、第２文字集合は、少なくとも１つの第２文字を含んでいる、ことと、
キーライトオン命令に基づいて、文字とキー識別子との対応関係を問い合わせることにより、第２文字のそれぞれに対応する対象キー識別子を取得することと、
対象キー識別子によって示された対象キーに対応するキーライトを、既定色の光を発するように制御することであって、既定色の光は、ユーザに文字入力をプロンプトするものである、ことと
を含んでいる。
【０３６８】
選択的には、対象キー識別子によって示された対象キーに対応するキーライトを、既定色の光を発するように制御することが、
対象キー識別子によって示された対象キーに対応するキーライトをオンにして、既定色の光を発するように制御することと、
キーボード上の対象キーを除くキーに対応するキーライトをオフにするように制御することと
を含んでいる。
【０３６９】
選択的には、キーボード上のキーが機能キーを含んでおり、対象キー識別子によって示された対象キーに対応するキーライトを、既定色の光を発するように制御することが、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトを、第３既定色の光を発するように制御することと
を含み、
第１既定色、第２既定色及び第３既定色が互いに異なっている。
【０３７０】
選択的には、キーボード上のキーが機能キーを含んでおり、対象キー識別子によって示された対象キーに対応するキーライトを、既定色の光を発するように制御することが、
対象キー識別子によって示された対象キーに対応するキーライトを、第１既定色の光を発するように制御することと、
機能キーに対応するキーライトを、第２既定色の光を発するように制御することと、
キーボード上の対象キー及び機能キーを除くキーに対応するキーライトをオフにするように制御することと
を含み、
第１既定色が、第２既定色とは異なっている。
【０３７１】
選択的には、対象キー識別子によって示された対象キーに対応するキーライトを、既定色の光を発するように制御することが、
対象キー識別子によって示された対象キーに対応するキーライトを、既定色の光を発すると共に点滅するように制御することを含んでいる。
【０３７２】
選択的には、第２文字集合が、少なくとも２つの第２文字を含んでおり、
対象キー識別子によって示された対象キーに対応するキーライトを、既定色の光を発するように制御することが、
第２文字のそれぞれと第１文字との相関度をそれぞれ決定することにより、少なくとも２つの相関度を取得することと、
第２文字のそれぞれに対応する対象キー識別子によって示された対象キーに対応するキーライトを、既定色の光を発するように制御することと
を含み、
任意の１つの対象キーに対応するキーライトによって発せられる光の強度は、任意の１つの対象キーに対応する第２文字と第１文字との相関度と正の相関がある。
【０３７３】
選択的には、第２文字集合が、少なくとも２つの第２文字を含んでおり、少なくとも２つの第２文字が順に並べられており、
対象キー識別子によって示された対象キーに対応するキーライトを、既定色の光を発するように制御することが、
少なくとも２つの第２文字の並び順に基づいて、第２文字のそれぞれに対応する対象キー識別子によって示された対象キーに対応するキーライトを、既定色の光を発するように順に制御することを含んでいる。
【０３７４】
以上のように、本開示の実施形態において提供される文字を入力する装置では、キーライトオン命令を受信し、キーライトオン命令は、ユーザによって入力された第１文字に基づいて決定され第１文字と相関する第２文字集合中の第２文字を含んでおり、第２文字集合は、少なくとも１つの第２文字を含んでおり、キーライトオン命令に基づいて、文字とキー識別子との対応関係を問い合わせることにより、第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３７５】
図１４は、本開示のさらに別の例示の実施形態に基づく文字を入力する装置１４００を表すブロック図である。例えば、装置１４００は端末であってもよく、該端末は、携帯電話、モバイルフォン、デジタルブロードキャスト端末、メッセージ送受信デバイス、ゲームコンソール、医療機器、健康器具、パーソナルデジタルアシスタンス（ＰＤＡ）、デスクトップコンピュータ、ポータブルラップトップコンピュータ、ノートブックコンピュータ、スマートテレビ、スマートウェアラブルデバイス等に設置されていてもよく、本開示の実施形態によっては限定されない。
【０３７６】
図１４を参照すると、装置１４００は、以下の１つ又は複数のコンポーネント、すなわち、処理コンポーネント１４０２、メモリ１４０４、電源コンポーネント１４０６、マルチメディアコンポーネント１４０８、オーディオコンポーネント１４１０、入力／出力（Ｉ／Ｏ）インタフェース１４１２、センサコンポーネント１４１４及び通信コンポーネント１４１６を含んでいてもよい。
【０３７７】
処理コンポーネント１４０２は、典型的には、装置１４００の全体的な操作、例えば、表示、電話呼出し、データ通信、カメラ操作及び記録操作に関する操作などを制御する。処理コンポーネント１４０２は、上述の方法におけるステップの全部又は一部を実施するための命令を実行する１つ又は複数のプロセッサ１４２０を含んでいてもよい。さらに、処理コンポーネント１４０２は、処理コンポーネント１４０２と他のコンポーネントとの間の対話を容易にする１つ又は複数のモジュールを含んでいてもよい。例えば、処理コンポーネント１４０２は、マルチメディアコンポーネント１４０８と処理コンポーネント１４０２との間の対話を容易にするマルチメディアモジュールを含んでいてもよい。
【０３７８】
メモリ１４０４は、装置１４００の操作をサポートするための種々のタイプのデータを保存するように構成されている。このようなデータの例には、装置１４００上において操作される任意のアプリケーション又は方法のための命令、連絡先データ、電話帳データ、メッセージ、ピクチャ、ビデオ等が含まれる。メモリ１４０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０３７９】
電源コンポーネント１４０６は、装置１４００の種々のコンポーネントに電力を供給する。電源コンポーネント１４０６は、電源管理システム、１つ又は複数の電源、及び、装置１４００において電力を生成、管理及び分配することに関する任意の他のコンポーネントを含んでいてもよい。
【０３８０】
マルチメディアコンポーネント１４０８は、装置１４００とユーザとの間に出力インタフェースを提供するスクリーンを含む。いくつかの実施形態では、スクリーンは液晶ディスプレイ（ＬＣＤ）及びタッチパネル（ＴＰ）を含んでいてもよい。スクリーンがタッチパネルを含んでいる場合には、スクリーンはユーザからの入力信号を受信するためのタッチスクリーンとして実装されていてもよい。タッチパネルは、タッチ、スワイプ及びタッチパネル上における他のジェスチャを感知するための１つ又は複数のタッチセンサを含む。上記タッチセンサは、タッチ又はスワイプ動作の境界を感知してもよく、それだけでなくタッチ又はスワイプ動作に関する持続時間及び圧力を感知してもよい。
【０３８１】
オーディオコンポーネント１４１０は、オーディオ信号を出力及び／又は入力するように構成されている。例えば、オーディオコンポーネント１４１０はマイク（ＭＩＣ）を含んでおり、該マイクは、装置１４００が呼出しモード、記録モード及び音声認識モードのような動作モードにある際に、外部オーディオ信号を受信するように構成されている。受信されたオーディオ信号は、さらに、メモリ１４０４内に保存されてもよく、通信コンポーネント１４１６を経由して送信されてもよい。いくつかの実施形態では、オーディオコンポーネント１４１０は、オーディオ信号を出力するためのスピーカをさらに含んでいてもよい。
【０３８２】
Ｉ／Ｏインタフェース１４１２は、処理コンポーネント１４０２と、キーボード、クリックホイール、ボタン等の周辺インタフェースモジュールとの間に、インタフェースを提供する。該ボタンは、限定されないが、ホームボタン、ボリュームボタン、スタートボタン及びロックボタンを含んでいてもよい。
【０３８３】
センサコンポーネント１４１４は、装置１４００における種々の様相の状態評価を提供するための１つ又は複数のセンサを含む。例えば、センサコンポーネント１４１４は、装置１４００のオープン／クローズ状態及びコンポーネントの相対位置を検出してもよく、例えば、該コンポーネントは、装置１４００のディスプレイ及びキーパッドであってもよい。センサコンポーネント１４１４はまた、装置１４００又は装置１４００のコンポーネントの位置の変化、装置１４００とコンタクトを取っているユーザの存在又は不存在、装置１４００の向き又は加速／減速、及び装置１４００の温度変化を検出してもよい。センサコンポーネント１４１４は、物理的接触のない状態で近くの物体の存在を検出するように構成された近接センサを含んでいてもよい。センサコンポーネント１４１４はまた、撮影アプリケーションにおいて使用するための、ＣＭＯＳ又はＣＣＤイメージセンサのような光センサを含んでいてもよい。いくつかの実施形態では、センサコンポーネント１４１４はまた、加速度センサ、ジャイロセンサ、磁気センサ、圧力センサ又は温度センサを含んでいてもよい。
【０３８４】
通信コンポーネント１４１６は、装置１４００と他の装置との間の有線又は無線の通信を容易にするように構成されている。装置１４００は、ＷｉＦｉ、２Ｇ若しくは３Ｇ、又はそれらの組み合わせのような通信規格に基づく無線ネットワークにアクセスすることができる。例示の一実施形態では、通信コンポーネント１４１６は、ブロードキャストチャンネルを経由して、外部ブロードキャスト管理システムからのブロードキャスト信号又はブロードキャスト関連情報を受信する。例示の一実施形態では、通信コンポーネント１４１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０３８５】
例示の実施形態では、装置１４００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０３８６】
例示の実施形態では、命令を含んだメモリ１４０４のような、命令を含んだ非一時的なコンピュータ読み取り可能記憶媒体もまた提供され、上記命令は、上述の方法を実施するために、装置１４００のプロセッサ１４２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０３８７】
非一時的なコンピュータ読み取り可能記憶媒体は、装置１４００のプロセッサによって実行可能な、装置１４００に上述の文字入力方法を実行させるための命令を含んでいる。該方法は、
ユーザによって入力された第１文字を受信することと、
第１文字と相関する第２文字集合を決定することであって、第２文字集合は、少なくとも１つの第２文字を含んでいる、ことと、
キーライトオン命令を送信することであって、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである、ことと
を含んでいる。
【０３８８】
選択的には、第１文字と相関する第２文字集合を決定することであって、第２文字集合は、少なくとも１つの第２文字を含んでいる、ことが、
対象辞書を決定することであって、対象辞書は、現時点でユーザが使用する入力法に対応する辞書又はユーザが入力する語彙に基づいて確立する辞書であり、対象辞書は異なる文字間の相関関係を記録するものである、ことと、
第１文字に基づいて対象辞書を問い合わせることにより、第２文字集合を取得することと
を含んでいる。
【０３８９】
選択的には、方法が、さらに、
ユーザによって入力された第３文字を受信することと、
第２文字集合中に第３文字と同じ文字が存在するか否かを判断することと、
第２文字集合中に第３文字と同じ文字が存在しなかった場合に、第１文字及び第３文字に基づいて対象辞書を更新することと
を含んでいる。
【０３９０】
選択的には、第１文字及び第３文字に基づいて対象辞書を更新することが、
サーバに問い合わせ要求を送信することであって、問い合わせ要求は、第１文字及び第３文字が順に並べられて構成された、問い合わせられようとしている語句を含んでいる、ことと、
サーバにより送信された問い合わせ応答を受信することであって、問い合わせ応答は、サーバによってサーバ中の辞書を問い合わせたことにより生成されたものである、ことと、
サーバ中の辞書内に問い合わせられようとしている語句が存在することを問い合わせ応答が示している場合に、対象辞書内に第１文字と第３文字との相関関係を記録することと
を含んでいる。
【０３９１】
選択的には、第１文字及び第３文字に基づいて対象辞書を更新することが、
更新プロンプト情報をユーザに表示することと、
更新プロンプト情報に基づいてユーザによってトリガされた更新命令を受信することであって、更新命令は、第１文字及び第３文字が順に並べられて構成された、問い合わせられようとしている語句を含んでいる、ことと、
対象辞書内に第１文字と第３文字との相関関係を記録することと
を含んでいる。
【０３９２】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、キーライトオン命令を送信し、キーライトオン命令は、第２文字集合中の第２文字を含んでおり、該送信することによって、キーボードは、キーライトオン命令に基づいて文字とキー識別子との対応関係を問い合わせることにより第２文字のそれぞれに対応する対象キー識別子を取得すると共に、対象キー識別子によって示された対象キーに対応するキーライトを既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３９３】
図１５は、例示の実施形態に基づく文字入力システム１５００のブロック図である。図１５を参照すると、該文字入力システム１５００は、キーボード１５１０と、端末におけるプロセッサ１５２０とを含むことができる。
【０３９４】
実現可能な実施方式では、キーボード１５１０は、図９に示される文字入力装置を含んでおり、端末におけるプロセッサ１５２０は、図１０又は図１１に示される文字入力装置を含んでいる。
【０３９５】
別の実現可能な実施方式では、キーボード１５１０は、図１３に示される文字入力装置を含んでおり、端末におけるプロセッサ１５２０は、図１４に示される文字入力装置を含んでいる。
【０３９６】
以上のように、本開示の実施形態において提供される文字を入力する装置では、ユーザによって入力された第１文字を受信し、第１文字と相関する第２文字集合を決定し、第２文字集合は、少なくとも１つの第２文字を含んでおり、文字とキー識別子との対応関係を問い合わせることにより第２文字のそれぞれに対応する対象キー識別子を取得し、対象キー識別子によって示された対象キーに対応するキーライトを、既定色の光を発するように制御し、既定色の光は、ユーザに文字入力をプロンプトするものである。本開示の実施形態では、対象キー識別子によって示された対象キーに対応するキーライトを既定色の光を発するように制御することによりユーザに文字入力をプロンプトすることによって、関連技術における入力効率の低さ及び誤入力の起こり易さの問題が解決され、入力効率の向上及び誤入力の回避という効果が実現される。
【０３９７】
当業者は、明細書及び本明細書に開示された本発明の実施を考慮して、本発明の他の実施形態に容易に想到するであろう。本出願は、本発明の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本発明の真の範囲及び趣旨は以下の特許請求の範囲によって示されることが意図される。
【０３９８】
本発明は、上述の及び添付の図面に図示された厳密な構成に限定されるものではなく、本発明の範囲から逸脱することなく、様々な修正及び変更がなされ得ることを理解されたい。本開示の範囲は、添付の特許請求の範囲によってのみ限定される。
【図１−１】
2018502350.tif 000008
【図１−２】
2018502350.tif 000009
【図１−３】
2018502350.tif 000010
【図１−４】
2018502350.tif 000011
【図１−５】
2018502350.tif 000012
【図１−６】
2018502350.tif 000013
【図２】
2018502350.tif 000014
【図３】
2018502350.tif 000015
【図４】
2018502350.tif 000016
【図５−１】
2018502350.tif 000017
【図５−２】
2018502350.tif 000018
【図５−３】
2018502350.tif 000019
【図５−４】
2018502350.tif 000020
【図５−５】
2018502350.tif 000021
【図５−６】
2018502350.tif 000022
【図５−７】
2018502350.tif 000023
【図５−８】
2018502350.tif 000024
【図５−９】
2018502350.tif 000025
【図５−１０】
2018502350.tif 000026
【図５−１１】
2018502350.tif 000027
【図５−１２】
2018502350.tif 000028
【図５−１３】
2018502350.tif 000029
【図５−１４】
2018502350.tif 000030
【図６−１】
2018502350.tif 000031
【図６−２】
2018502350.tif 000032
【図６−３】
2018502350.tif 000033
【図６−４】
2018502350.tif 000034
【図６−５】
2018502350.tif 000035
【図６−６】
2018502350.tif 000036
【図６−７】
2018502350.tif 000037
【図６−８】
2018502350.tif 000038
【図６−９】
2018502350.tif 000039
【図６−１０】
2018502350.tif 000040
【図７】
2018502350.tif 000041
【図８】
2018502350.tif 000042
【図９】
2018502350.tif 000043
【図１０】
2018502350.tif 000044
【図１１】
2018502350.tif 000045
【図１２】
2018502350.tif 000046
【図１３】
2018502350.tif 000047
【図１４】
2018502350.tif 000048
【図１５】
2018502350.tif 000049
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
文字入力方法であって、前記方法が、
ユーザによって入力された第１文字を受信することと、
前記第１文字と相関する第２文字集合を決定することであって、前記第２文字集合は、少なくとも１つの第２文字を含んでいる、ことと、
文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含む、方法。
【請求項２】
前記第１文字と相関する第２文字集合を決定することであって、前記第２文字集合は、少なくとも１つの第２文字を含んでいる、ことが、
対象辞書を決定することであって、前記対象辞書は、現時点でユーザが使用する入力法に対応する辞書又はユーザが入力する語彙に基づいて確立する辞書であり、前記対象辞書は異なる文字間の相関関係を記録するものである、ことと、
前記第１文字に基づいて前記対象辞書を問い合わせることにより、前記第２文字集合を取得することと
を含む、請求項１に記載の方法。
【請求項３】
前記方法が、さらに、
ユーザによって入力された第３文字を受信することと、
前記第２文字集合中に前記第３文字と同じ文字が存在するか否かを判断することと、
前記第２文字集合中に前記第３文字と同じ文字が存在しなかった場合に、前記第１文字及び前記第３文字に基づいて前記対象辞書を更新することと
を含む、請求項２に記載の方法。
【請求項４】
前記第１文字及び前記第３文字に基づいて前記対象辞書を更新することが、
サーバに問い合わせ要求を送信することであって、前記問い合わせ要求は、前記第１文字及び前記第３文字が順に並べられて構成された、問い合わせられようとしている語句を含む、ことと、
前記サーバにより送信された問い合わせ応答を受信することであって、前記問い合わせ応答は、前記サーバによって前記サーバ中の辞書を問い合わせたことにより生成されたものである、ことと、
前記サーバ中の辞書内に前記問い合わせられようとしている語句が存在することを前記問い合わせ応答が示している場合に、前記対象辞書内に前記第１文字と前記第３文字との相関関係を記録することと
を含む、請求項３に記載の方法。
【請求項５】
前記第１文字及び前記第３文字に基づいて前記対象辞書を更新することが、
更新プロンプト情報をユーザに表示することと、
前記更新プロンプト情報に基づいてユーザによってトリガされた更新命令を受信することであって、前記更新命令は、前記第１文字及び前記第３文字が順に並べられて構成された、問い合わせられようとしている語句を含んでいる、ことと、
前記対象辞書内に前記第１文字と前記第３文字との相関関係を記録することと
を含む、請求項３に記載の方法。
【請求項６】
前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある、請求項１に記載の方法。
【請求項７】
前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含む、請求項１に記載の方法。
【請求項８】
文字入力方法であって、前記方法が、
キーライトオン命令を受信することであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、ことと、
前記キーライトオン命令に基づいて、文字とキー識別子との対応関係を問い合わせることにより、前記第２文字のそれぞれに対応する対象キー識別子を取得することと、
前記対象キー識別子によって示された対象キーに対応するキーライトを、既定色の光を発するように制御することであって、前記既定色の光は、前記ユーザに文字入力をプロンプトするものである、ことと
を含む、方法。
【請求項９】
前記対象キー識別子によって示された対象キーに対応するキーライトを、既定色の光を発するように制御することが、
前記対象キー識別子によって示された対象キーに対応するキーライトをオンにして、前記既定色の光を発するように制御することと、
キーボード上の前記対象キーを除くキーに対応するキーライトをオフにするように制御することと
を含む、請求項８に記載の方法。
【請求項１０】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトを、第３既定色の光を発するように制御することと
を含み、
前記第１既定色、前記第２既定色及び前記第３既定色が互いに異なっている、請求項８に記載の方法。
【請求項１１】
キーボード上のキーが機能キーを含んでおり、前記対象キー識別子によって示された対象キーに対応するキーライトを、既定色の光を発するように制御することが、
前記対象キー識別子によって示された対象キーに対応するキーライトを、第１既定色の光を発するように制御することと、
前記機能キーに対応するキーライトを、第２既定色の光を発するように制御することと、
前記キーボード上の前記対象キー及び前記機能キーを除くキーに対応するキーライトをオフにするように制御することと
を含み、
前記第１既定色が、前記第２既定色とは異なっている、請求項８に記載の方法。
【請求項１２】
前記第２文字集合が、少なくとも２つの第２文字を含んでおり、
前記対象キー識別子によって示された対象キーに対応するキーライトを、既定色の光を発するように制御することが、
前記第２文字のそれぞれと前記第１文字との相関度をそれぞれ決定することにより、少なくとも２つの相関度を取得することと、
前記第２文字のそれぞれに対応する対象キー識別子によって示された対象キーに対応するキーライトを、前記既定色の光を発するように制御することと
を含み、
任意の１つの対象キーに対応するキーライトによって発せられる光の強度は、前記任意の１つの対象キーに対応する第２文字と前記第１文字との相関度と正の相関がある、請求項８に記載の方法。
【請求項１３】
前記第２文字集合が、少なくとも２つの第２文字を含んでおり、前記少なくとも２つの第２文字が順に並べられており、
前記対象キー識別子によって示された対象キーに対応するキーライトを、既定色の光を発するように制御することが、
前記少なくとも２つの第２文字の並び順に基づいて、前記第２文字のそれぞれに対応する対象キー識別子によって示された対象キーに対応するキーライトを、前記既定色の光を発するように順に制御することを含む、請求項８に記載の方法。
【請求項１４】
文字入力装置であって、前記装置が、
ユーザによって入力された第１文字を受信するように構成された第１受信モジュールと、
前記第１文字と相関する第２文字集合を決定するように構成された決定モジュールであって、前記第２文字集合は、少なくとも１つの第２文字を含んでいる、決定モジュールと、
文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含む、装置。
【請求項１５】
前記決定モジュールが、
対象辞書を決定し、前記対象辞書は、現時点でユーザが使用する入力法に対応する辞書又はユーザが入力する語彙に基づいて確立する辞書であり、前記対象辞書は異なる文字間の相関関係を記録するものであり、
前記第１文字に基づいて前記対象辞書を問い合わせることにより、前記第２文字集合を取得する
ように構成されている、請求項１４に記載の装置。
【請求項１６】
前記装置が、さらに、
ユーザによって入力された第３文字を受信するように構成された第２受信モジュールと、
前記第２文字集合中に前記第３文字と同じ文字が存在するか否かを判断するように構成された判断モジュールと、
前記第２文字集合中に前記第３文字と同じ文字が存在しなかった場合に、前記第１文字及び前記第３文字に基づいて前記対象辞書を更新するように構成された更新モジュールと
を含む、請求項１５に記載の装置。
【請求項１７】
前記更新モジュールが、
サーバに問い合わせ要求を送信し、前記問い合わせ要求は、前記第１文字及び前記第３文字が順に並べられて構成された、問い合わせられようとしている語句を含んでおり、
前記サーバにより送信された問い合わせ応答を受信し、前記問い合わせ応答は、前記サーバによって前記サーバ中の辞書を問い合わせたことにより生成されたものであり、
前記サーバ中の辞書内に前記問い合わせられようとしている語句が存在することを前記問い合わせ応答が示している場合に、前記対象辞書内に前記第１文字と前記第３文字との相関関係を記録する
ように構成されている、請求項１６に記載の装置。
【請求項１８】
前記更新モジュールが、
更新プロンプト情報をユーザに表示し、
前記更新プロンプト情報に基づいてユーザによってトリガされた更新命令を受信し、前記更新命令は、前記第１文字及び前記第３文字が順に並べられて構成された、問い合わせられようとしている語句を含んでおり、
前記対象辞書内に前記第１文字と前記第３文字との相関関係を記録する
ように構成されている、請求項１６に記載の装置。
【請求項１９】
文字入力装置であって、前記装置が、
キーライトオン命令を受信するように構成された受信モジュールであって、前記キーライトオン命令は、ユーザによって入力された第１文字に基づいて決定され前記第１文字と相関する第２文字集合中の第２文字を含んでおり、前記第２文字集合は、少なくとも１つの第２文字を含んでいる、受信モジュールと、
前記キーライトオン命令に基づいて、文字とキー識別子との対応関係を問い合わせることにより、前記第２文字のそれぞれに対応する対象キー識別子を取得するように構成された問い合わせモジュールと、
前記対象キー識別子によって示された対象キーに対応するキーライトを、既定色の光を発するように制御するように構成された制御モジュールであって、前記既定色の光は、前記ユーザに文字入力をプロンプトするものである、制御モジュールと
を含む、装置。
【請求項２０】
前記第２文字集合が、少なくとも２つの第２文字を含んでおり、
前記制御モジュールが、
前記第２文字のそれぞれと前記第１文字との相関度をそれぞれ決定することにより、少なくとも２つの相関度を取得し、
前記第２文字のそれぞれに対応する対象キー識別子によって示された対象キーに対応するキーライトを、前記既定色の光を発するように制御する
ように構成されており、
任意の１つの対象キーに対応するキーライトによって発せられる光の強度は、前記任意の１つの対象キーに対応する第２文字と前記第１文字との相関度と正の相関がある、請求項１９に記載の装置。
【請求項２１】
前記第２文字集合が、少なくとも２つの第２文字を含んでおり、前記少なくとも２つの第２文字が順に並べられており、
前記制御モジュールが、
前記少なくとも２つの第２文字の並び順に基づいて、前記第２文字のそれぞれに対応する対象キー識別子によって示された対象キーに対応するキーライトを、前記既定色の光を発するように順に制御するように構成されている、請求項１９に記載の装置。
【国際調査報告】
2018502350.tif 000050
2018502350.tif 000051
2018502350.tif 000052
2018502350.tif 000053